(57)【要約】【課題】２次元イメージや１次元ワードに落とし込むことが難しいという特徴を持つ広告音楽データをユーザの負担を軽減した状態を再生する音楽再生装置が求められていた。【解決手段】本発明の音楽再生装置は、ユーザからのアラーム時刻設定操作に基づいてアラーム時刻を設定するアラーム時刻設定手段と、外部サーバに接続して音楽データを受信する音楽データ受信手段と、前記アラーム時刻から所定の時間前の時刻を音楽データ再生時刻として設定する音楽データ再生時刻設定手段と、アラーム時刻に基づいて設定される音楽データ再生時刻に前記音楽データの再生を開始する音楽データ再生開始手段と、音楽データの再生を停止する音楽データ再生停止手段と、アラーム時刻にアラーム音データの再生を開始するアラーム音データ再生開始手段と、アラーム音データの再生を停止するアラーム音データ再生停止手段を具備する。【選択図】図２７
2017032895.tif 000002
【特許請求の範囲】
【請求項１】
ユーザからのアラーム時刻設定操作に基づいてアラーム時刻を設定する処理を行うアラーム時刻設定処理手段と、
外部サーバに接続して音楽データを受信する処理を行う音楽データ受信処理手段と、
前記設定されたアラーム時刻に基づいて前記音楽データの再生を開始する処理を行う音楽データ再生開始処理手段と、
前記音楽データの再生を停止する処理を行う音楽データ再生停止処理手段と、
を具備する音楽再生装置。
【請求項２】
少なくとも前記ユーザの性別、年齢、年齢グループ、居住地域のいずれかに関連する情報をユーザ情報として登録する処理を行うユーザ情報登録処理手段を更に具備し、
前記音楽データ受信処理手段は前記登録された前記ユーザ情報に基づいて前記外部サーバで選択される音楽データを受信する処理を行う、
請求項１に記載の音楽再生装置。
【請求項３】
前記アラーム時刻に基づいて、前記外部サーバに接続する時刻を設定する処理を行うサーバ接続時刻設定処理手段を更に具備し、
前記音楽データ受信処理手段は、サーバ接続時刻設定処理手段が設定する時刻に前記外部サーバに接続して前記音楽データを受信する、
請求項１または２に記載の音楽再生装置。
【請求項４】
前記サーバ接続時刻設定処理手段は、前記アラーム時刻設定操作に基づいて、前記アラーム時刻と現在の時刻との間の所定の時刻を前記外部サーバに接続する時刻として設定する処理を行う、
請求項３に記載の音楽再生装置。
【請求項５】
前記アラーム時刻から所定の時間前の時刻を音楽データ再生時刻として設定する処理を行う音楽データ再生時刻設定処理手段と、
前記アラーム時刻にアラーム音データの再生を開始する処理を行うアラーム音データ再生開始処理手段と、
前記アラーム音データの再生を停止する処理を行うアラーム音データ再生停止処理手段を更に具備し、
前記音楽データ再生開始処理手段は、前記アラーム時刻設定処理手段が前記アラーム時刻に基づいて設定する前記音楽データ再生時刻に前記音楽データの再生を開始する処理を行う、
請求項１乃至４のいずれか１項に記載の音楽再生装置。
【請求項６】
前記音楽データ受信処理手段が受信した音楽データを記憶媒体に記憶する処理を行う音楽データ記憶処理手段を更に具備し、
前記音楽データ再生時刻設定処理手段は、アラーム時刻設定処理手段が前記ユーザからのアラーム時刻設定操作に基づいて設定しているアラーム時刻と、前記音楽データ記憶処理手段が記憶媒体に記憶する前記音楽データの収録時間とに基づいて前記音楽データの再生を開始する時刻である前記音楽データ再生時刻を設定する処理を行う、
請求項５に記載の音楽再生装置。
【請求項７】
前記アラーム時刻設定処理手段は、ユーザからの複数のアラーム時刻設定操作に基づいて複数のアラーム時刻を設定する処理を行い、
前記複数のアラーム時刻の中から前記音楽データの再生に関連するアラーム時刻を取得する処理を行う音楽データ再生関連アラーム時刻取得処理手段を更に具備し、
前記音楽データ再生時刻設定処理手段は、前記アラーム時刻設定処理手段が設定する複数のアラーム時刻の中から前記音楽データ再生関連アラーム時刻取得処理手段で取得されたアラーム時刻に基づいて前記音楽データの再生を開始する時刻を設定する処理を行う、
請求項５または６に記載の音楽再生装置。
【請求項８】
前記音楽データの再生が開始された時刻及び前記音楽データの再生が停止された時刻、前記音楽データの再生が開始されてから停止されるまでの時間、ユーザからの音楽データ再生停止操作に基づいて前記音楽データの再生が停止されたことを示す情報、前記音楽データの収録時間の最後まで前記音楽データの再生が行われたことを示す情報、の少なくとも１つの情報をフィードバック情報として前記外部サーバに送信する処理を行うフィードバック情報送信処理手段を更に具備する、
請求項１乃至７のいずれか１項に記載の音楽再生装置。
【請求項９】
ユーザからのアラーム時刻設定操作に基づいてアラーム時刻を設定するアラーム時刻設定ステップと、
外部サーバに接続して音楽データを受信する音楽データ受信ステップと、
前記設定されたアラーム時刻に基づいて前記音楽データの再生を開始する音楽データ再生開始ステップと、
前記音楽データの再生を停止する音楽データ再生停止ステップと、
を有する音楽再生方法。
【請求項１０】
少なくとも前記ユーザの性別、年齢、年齢グループ、居住地域のいずれかに関連する情報をユーザ情報として登録するユーザ情報登録ステップを更に有し、
前記音楽データ受信ステップは、前記登録された前記ユーザ情報に基づいて前記外部サーバで選択される音楽データを受信する、
請求項９に記載の音楽再生方法。
【請求項１１】
前記アラーム時刻に基づいて、前記外部サーバに接続する時刻を設定するサーバ接続時刻設定ステップを更に有し、
前記音楽データ受信ステップは、サーバ接続時刻設定ステップが設定する時刻で前記外部サーバに接続して前記音楽データを受信する、
請求項９または１０に記載の音楽再生方法。
【請求項１２】
前記サーバ接続時刻設定ステップは、前記アラーム時刻設定操作に基づいて、前記アラーム時刻と現在の時刻との間の所定の時刻を前記外部サーバに接続する時刻として設定する、
請求項１１に記載の音楽再生方法。
【請求項１３】
前記アラーム時刻から所定の時間前の時刻を音楽データ再生時刻として設定する処理を行う音楽データ再生時刻設定ステップと、
前記アラーム時刻にアラーム音データの再生を開始する処理を行うアラーム音データ再生開始ステップと、
前記アラーム音データの再生を停止する処理を行うアラーム音データ再生停止ステップを更に有し、
前記音楽データ再生開始ステップは、前記アラーム時刻設定ステップで設定される前記音楽データ再生時刻に前記音楽データの再生を開始する、
請求項９乃至１２のいずれか１項に記載の音楽再生方法。
【請求項１４】
前記音楽データ受信ステップで受信された音楽データを記憶媒体に記憶する音楽データ記憶ステップを更に有し、
前記音楽データ再生時刻設定ステップは、アラーム時刻設定ステップで前記ユーザからのアラーム時刻設定操作に基づいて設定されるアラーム時刻と、前記音楽データ記憶ステップで記憶媒体に記憶される前記音楽データの収録時間とに基づいて前記音楽データの再生を開始する時刻である前記音楽データ再生開始時刻を設定する、
請求項１３に記載の音楽再生方法。
【請求項１５】
前記アラーム時刻設定ステップは、ユーザからの複数のアラーム時刻設定操作に基づいて複数のアラーム時刻を設定し、
前記複数のアラーム時刻の中から前記音楽データの再生に関連するアラーム時刻を取得する音楽データ再生関連アラーム時刻取得ステップを更に有し、
前記音楽データ再生時刻設定ステップは、前記アラーム時刻設定ステップで設定される複数のアラーム時刻の中から前記音楽データ再生関連アラーム時刻取得ステップで取得されたアラーム時刻に基づいて前記音楽データの再生を開始する時刻を設定する、
請求項１３または１４に記載の音楽再生方法。
【請求項１６】
前記音楽データの再生が開始された時刻及び前記音楽データの再生が停止された時刻、前記音楽データの再生が開始されてから停止されるまでの時間、ユーザからの音楽データ再生停止操作に基づいて前記音楽データの再生が停止されたことを示す情報、前記音楽データの収録時間の最後まで前記音楽データの再生が行われたことを示す情報、の少なくとも１つの情報をフィードバック情報として前記外部サーバに送信するフィードバック情報送信ステップを更に有する、
請求項９乃至１５のいずれか１項に記載の音楽再生方法。
【請求項１７】
ユーザからのアラーム時刻設定操作に基づいてアラーム時刻を設定するアラーム時刻設定ステップと、外部サーバに接続して音楽データを受信する音楽データ受信ステップと、
前記設定されたアラーム時刻に基づいて前記音楽データの再生を開始する音楽データ再生開始ステップと、前記音楽データの再生を停止する音楽データ再生停止ステップと、
を情報処理装置に実行させる音楽再生プログラム。
【請求項１８】
少なくとも前記ユーザの性別、年齢、年齢グループ、居住地域のいずれかに関連する情報をユーザ情報として登録するユーザ情報登録ステップを更に情報処理装置に実行させ、  前記音楽データ受信ステップとして、前記登録された前記ユーザ情報に基づいて前記外部サーバで選択される音楽データを受信するステップを前記情報処理装置に実行させる、
請求項１７に記載の音楽再生プログラム。
【請求項１９】
前記アラーム時刻に基づいて、前記外部サーバに接続する時刻を設定するサーバ接続時刻設定ステップを更に情報処理装置に実行させ、
前記音楽データ受信ステップとして、サーバ接続時刻設定ステップが設定する時刻で前記外部サーバに接続して前記音楽データを受信するステップを前記情報処理装置に実行させる、
請求項１７または１８に記載の音楽再生プログラム。
【請求項２０】
前記サーバ接続時刻設定ステップとして、前記アラーム時刻設定操作に基づいて、前記アラーム時刻と現在の時刻との間の所定の時刻を前記外部サーバに接続する時刻として設定するステップを前記情報処理装置に実行させる、
請求項１９に記載の音楽再生プログラム。
【請求項２１】
前記アラーム時刻から所定の時間前の時刻を音楽データ再生時刻として設定する処理を行う音楽データ再生時刻設定ステップと、
前記アラーム時刻にアラーム音データの再生を開始する処理を行うアラーム音データ再生開始ステップと、
前記アラーム音データの再生を停止する処理を行うアラーム音データ再生停止ステップを更に情報処理装置に実行させ、
前記音楽データ再生開始ステップとして、前記アラーム時刻設定ステップで設定される前記音楽データ再生時刻に前記音楽データの再生を開始するステップを前記情報処理装置に実行させる、
請求項１７乃至２０のいずれか１項に記載の音楽再生プログラム。
【請求項２２】
前記音楽データ受信ステップで受信された音楽データを記憶媒体に記憶する音楽データ記憶ステップを更に情報処理装置に実行させ、
前記音楽データ再生時刻設定ステップとして、アラーム時刻設定ステップで前記ユーザからのアラーム時刻設定操作に基づいて設定されるアラーム時刻と、前記音楽データ記憶ステップで記憶媒体に記憶される前記音楽データの収録時間とに基づいて前記音楽データの再生を開始する時刻である前記音楽データ再生開始時刻を設定するステップを前記情報処理装置に実行させる、
請求項２１に記載の音楽再生プログラム。
【請求項２３】
前記アラーム時刻設定ステップとして、ユーザからの複数のアラーム時刻設定操作に基づいて複数のアラーム時刻を設定するステップを前記情報処理装置に実行させ、
前記複数のアラーム時刻の中から前記音楽データの再生に関連するアラーム時刻を取得する音楽データ再生関連アラーム時刻取得ステップを更に前記情報処理装置に実行させ、
前記音楽データ再生時刻設定ステップとして、前記アラーム時刻設定ステップで設定される複数のアラーム時刻の中から前記音楽データ再生関連アラーム時刻取得ステップで取得されたアラーム時刻に基づいて前記音楽データの再生を開始する時刻を設定するステップを前記情報処理装置に実行させる、
請求項２１または２２に記載の音楽再生プログラム。
【請求項２４】
前記音楽データの再生が開始された時刻及び前記音楽データの再生が停止された時刻、前記音楽データの再生が開始されてから停止されるまでの時間、ユーザからの音楽データ再生停止操作に基づいて前記音楽データの再生が停止されたことを示す情報、前記音楽データの収録時間の最後まで前記音楽データの再生が行われたことを示す情報、の少なくとも１つの情報をフィードバック情報として前記外部サーバに送信するフィードバック情報送信ステップを更に情報処理装置に実行させる、
請求項１７乃至２３のいずれか１項に記載の音楽再生プログラム。
【請求項２５】
音楽データを再生する複数の音楽再生装置と前記音楽再生装置に音楽データを配信する音楽配信サーバとを含んで構成される音楽配信システムであって、
前記音楽再生装置の各々は、
ユーザからのアラーム時刻設定操作に基づいてアラーム時刻を設定する処理を行うアラーム時刻設定処理手段と、
外部サーバに接続して音楽データを受信する処理を行う音楽データ受信処理手段と、
前記設定されたアラーム時刻に基づいて前記音楽データの再生を開始する処理を行う音楽データ再生開始処理手段と、
前記音楽データの再生を停止する処理を行う音楽データ再生停止処理手段と、
を具備し、
前記音楽配信サーバは、
音楽データに係るアーティストからの音楽データ配信要求を受信する処理を行う配信要求受信処理手段と、
前記音楽データ配信要求に係る音楽データを配信対象音楽データとして登録する処理を行う配信対象音楽データ登録処理手段と
前記音楽再生装置からの音楽データ送信要求に基づいて、前記配信対象音楽データとして登録されている音楽データの中から選択した音楽データを前記音楽データ送信要求元の音楽再生装置に送信する処理を行う音楽データ送信処理手段と、
を具備する音楽配信システム。
【請求項２６】
前記音楽再生装置は、少なくとも前記ユーザの性別、年齢、年齢グループ、居住地域のいずれかに関連する情報をユーザ情報として登録する処理を行うユーザ情報登録処理手段を更に具備し、
前記音楽配信サーバは、
前記音楽データ送信要求の送信元のユーザのユーザ情報を参照して、前記配信対象音楽データとして登録されている音楽データの中から前記送信元のユーザへ配信する音楽データを選択する処理を行う配信音楽データ選択処理手段を更に具備し、
前記音楽データ送信処理手段は、前記配信音楽データ選択処理手段で選択された音楽データを前記音楽データ送信要求の送信元のユーザに送信する処理を行う、
請求項２５に記載の音楽配信システム。
【請求項２７】
前記音楽再生装置は、前記音楽データの再生が開始された時刻及び前記音楽データの再生が停止された時刻、前記音楽データの再生が開始されてから停止されるまでの時間、ユーザからの音楽データ再生停止操作に基づいて前記音楽データの再生が停止されたことを示す情報、前記音楽データの収録時間の最後まで前記音楽データの再生が行われたことを示す情報、の少なくとも１つの情報をフィードバック情報として前記外部サーバに送信する処理を行うフィードバック情報送信処理手段を更に具備し、
前記音楽配信サーバは、前記フィードバック情報に基づいて、前記配信対象音楽データとして登録されている音楽データの中から配信する音楽データを選択する際の選択パラメータを更新する処理を行う選択パラメータ更新処理手段を更に具備し、
前記配信音楽データ選択処理手段は、前記選択パラメータ更新処理手段が更新する選択パラメータに基づいて、前記配信対象音楽データとして登録されている音楽データの中から前記送信元のユーザへ配信する音楽データを選択する処理を行う、
請求項２６に記載の音楽配信システム。
【発明の詳細な説明】
【技術分野】
【０００１】
本発明は、広告に係る音楽をユーザの負担を軽減した方法で再生する音楽再生方法、音楽再生プログラム、音楽再生装置、およびユーザに対して広告対象とする音楽を配信する音楽配信システム、音楽配信方法に関する。
【背景技術】
【０００２】
近年、情報通信技術の発展に伴って従来のテレビ等のマスメディアからWEBへ広告の割合が増加している。マスメディアの利点はより多くの大衆にリーチ出来るのに足し、WEBではターゲットユーザに絞り込んで広告を配信できるため効率良く広告を出すことができるという利点がある。
【０００３】
例えば特許文献１には、WEBページ上に設けられた広告枠に対してユーザの属性情報に基づいて広告の画像データを選択して配信する技術が開示されている。当該技術によれば効率良くユーザの注意を惹くことができるため効率的な広告配信が可能となる。
【先行技術文献】
【特許文献】
【０００４】
【特許文献１】特開２０１５−４６０１５号公報
【発明の開示】
【発明が解決しようとする課題】
【０００５】
しかしながら、このようなWEB広告が有効に機能するかどうかは、そこで広告を出す対象物に大きく依存するという問題がある。例えばデザイン性に優れた製品やコンセプトを的確に表すキャッチワードがあるサービスでは、与えられた広告枠にそれらの製品の画像データやサービスのキャッチワードの文字を表示することでユーザの視覚を通して情報を伝達し、ユーザの興味を刺激することができる。
【０００６】
一方、このような広告媒体が機能しない対象物として音楽（曲）が挙げられる。音楽は聴覚によってユーザに認識されるコンテンツであるため、その特徴を２次元イメージやキャッチワードといった情報に変換し、視覚を通じてユーザに広告することが非常に難しい。なぜならば製品は空間軸方向に広がっているのに対し音楽は時間軸方向に広がっているためである。
【０００７】
したがって、広告対象物が音楽である場合には、聴覚を通じてユーザに広告し、その音楽に対するユーザの興味を惹起して購買行動へ繋げる必要がある。
【０００８】
しかしながら、一般的なコンセンサスとして、ユーザがWEBでブラウジングしている最中に自動的に音楽を再生することは暗黙的な合意事項として禁止されている。そのため、特許文献１に開示の技術では、対象とするユーザを推定することができても、広告対象となる音楽を再生することができず効率的に広告することは困難であった。
【０００９】
上記課題を鑑み、本発明は２次元イメージや１次元ワードに落とし込むことが難しいという特徴を持つ音楽をユーザの負担を軽減した状態で再生する音楽再生方法、音楽再生プログラム、音楽再生装置、音楽配信システム、を提供することを目的とする。
【課題を解決するための手段】
【００１０】
本発明の一態様である本発明の音楽再生方法は、ユーザからのアラーム時刻設定操作に基づいてアラーム時刻を設定するアラーム時刻設定ステップと、外部サーバに接続して音楽データを受信する音楽データ受信ステップと、前記設定されたアラーム時刻に基づいて前記音楽データの再生を開始する音楽データ再生開始ステップと、前記音楽データの再生を停止する音楽データ再生停止ステップと、を有する。
【００１１】
また、本発明の一態様である音楽再生プログラムは、ユーザからのアラーム時刻設定操作に基づいてアラーム時刻を設定するアラーム時刻設定ステップと、外部サーバに接続して音楽データを受信する音楽データ受信ステップと、前記設定されたアラーム時刻に基づいて前記音楽データの再生を開始する音楽データ再生開始ステップと、前記音楽データの再生を停止する音楽データ再生停止ステップと、を情報処理装置に実行させる。
【００１２】
また本発明の一態様である音楽再生装置は、ユーザからのアラーム時刻設定操作に基づいてアラーム時刻を設定する処理を行うアラーム時刻設定処理手段と、外部サーバに接続して音楽データを受信する処理を行う音楽データ受信処理手段と、前記設定されたアラーム時刻に基づいて前記音楽データの再生を開始する処理を行う音楽データ再生開始処理手段と、前記音楽データの再生を停止する処理を行う音楽データ再生停止処理手段と、を具備する。
【００１３】
また、本発明の一態様である音楽配信システムは、  音楽データを再生する複数の音楽再生装置と前記音楽再生装置に音楽データを配信する音楽配信サーバとを含んで構成される音楽配信システムであって、前記音楽再生装置の各々は、ユーザからのアラーム時刻設定操作に基づいてアラーム時刻を設定する処理を行うアラーム時刻設定処理手段と、外部サーバに接続して音楽データを受信する処理を行う音楽データ受信処理手段と、前記設定されたアラーム時刻に基づいて前記音楽データの再生を開始する処理を行う音楽データ再生開始処理手段と、前記音楽データの再生を停止する処理を行う音楽データ再生停止処理手段と、を具備し、前記音楽配信サーバは、音楽データに係るアーティストからの音楽データ配信要求を受信する処理を行う配信要求受信処理手段と、前記音楽データ配信要求に係る音楽データを配信対象音楽データとして登録する処理を行う配信対象音楽データ登録処理手段と前記音楽再生装置からの音楽データ送信要求に基づいて、前記配信対象音楽データとして登録されている音楽データの中から選択した音楽データを前記音楽データ送信要求元の音楽再生装置に送信する処理を行う音楽データ送信処理手段と、を具備する。
【発明の効果】
【００１４】
本発明によれば、２次元イメージや１次元ワードに落とし込むことが難しいという特徴を持つ音楽を効率的に広告する音楽再生方法、音楽再生プログラム、音楽再生装置、音楽配信システム、を提供することができる。
【図面の簡単な説明】
【００１５】
【図１】実施形態１に係る音楽配信システムの構成を示すブロック図
【図２】実施形態１に係る音楽配信システムの処理の流れを示すシーケンス図
【図３】実施形態１に係る音楽配信システムの別形態構成を示すブロック図
【図４】アーティスト情報を表示した状態の実施形態１に係る音楽再生装置の正面図
【図５】実施形態２に係る音楽配信システムの構成を示すブロック図
【図６】実施形態３に係る音楽配信システムの構成を示すブロック図
【図７】実施形態４に係る音楽配信システムの構成を示すブロック図
【図８】実施形態５に係る音楽配信システムの構成を示すブロック図
【図９】実施形態６に係る音楽広告システムの構成を示すブロック図
【図１０】実施形態７に係る音楽広告システムの構成を示すブロック図
【図１１】実施形態８に係る音楽広告システムの構成を示すブロック図
【図１２】アラーム画面の一例を示す図
【図１３】実施形態８に係る音楽広告処理装置のアラーム設定処理の流れを示すフローチャート図
【図１４】実施形態８に係る音楽広告処理装置の広告対象データ格納処理の流れを示すフローチャート図
【図１５】実施形態８に係る音楽広告処理装置の広告対象データ処理の流れを示すフローチャート図
【図１６】実施形態８に係る音楽広告処理装置のアラーム処理の流れを示すフローチャート図
【図１７】実施形態８に係る音楽広告処理装置の構成を示すブロック図
【図１８】フィードバック情報の一例を示す図
【図１９】実施形態８に係る音楽広告処理装置における広告対象データ処理とフィードバック処理の流れを示すフローチャート図
【図２０】実施形態８に係る音楽広告処理装置の具体的構成を示すブロック図
【図２１】アラーム設定画面の一例を示す図
【図２２】実施形態９に係る音楽広告処理装置の構成を示すブロック図
【図２３】実施形態９に係る音楽広告処理装置におけるアラーム設定処理の流れを示すフローチャート図
【図２４】実施形態９に係る音楽広告処理装置における広告対象データ処理時刻設定処理の流れを示すフローチャート図
【図２５】実施形態９に係る音楽広告処理装置の別構成を示すブロック図
【図２６】実施形態９に係る音楽広告処理装置における広告対象データ処理時刻設定処理の流れを示すフローチャート図
【図２７】実施形態１０に係る音楽再生装置の構成を示すブロック図
【図２８】実施形態１０の別形態に係る音楽再生装置の構成を示すブロック図
【図２９】実施形態１０の別形態に係る音楽再生装置の構成を示すブロック図
【図３０】実施形態１０の別形態に係る音楽再生装置の構成を示すブロック図
【図３１】実施形態１０の別形態に係る音楽再生装置の構成を示すブロック図
【図３２】実施形態１０の別形態に係る音楽再生装置の構成を示すブロック図
【図３３】実施形態１０の別形態に係る音楽再生装置の構成を示すブロック図
【図３４】実施形態１０に係る音楽再生装置における処理の流れを示すフローチャート図
【図３５】実施形態１０の別形態に係る音楽再生装置の構成を示すブロック図
【図３６】ポイント付与条件の一例を示す図
【図３７】実施形態１０の別形態に係る音楽再生装置の構成を示すブロック図
【図３８】実施形態１０の別形態に係る音楽再生装置の構成を示すブロック図
【発明を実施するための形態】
【００１６】
以下、本発明の各実施形態について図面を参照して詳細に説明する。以下の説明において同一の符号が付された部分は実質的に同一の機能を有している。また、発明の明確化のため重複部分は適宜説明が省略されている。
【００１７】
（実施形態１）
図１は本発明の実施形態１に係る音楽広告システムの構成を示すブロック図である。音楽広告システムは、複数の音楽再生装置１１００と、音楽配信サーバ１２００と、を含んで構成される。
【００１８】
音楽再生装置１１００は、広告の配信対象者が使用する装置であり、サーバより送信されてくる音楽データを受信して再生する機能を少なくとも具備する。本明細書では当該配信対象者をユーザと称する。音楽再生装置１１００は、アーティスト自身が作曲等した作品である音楽を広くユーザに広告することを目的として配信されるデータを処理する装置であるため、本明細書では、音楽再生装置を広告処理装置と称することがある。
【００１９】
音楽再生装置１１００の具体的形態としては、例えばスマートフォンやフィーチャーフォンといった携帯端末装置の他、タブレット端末装置、ウェアラブル端末装置などが該当する。音楽再生装置は１台の装置であっても良いが、複数の装置に分かれた状態で実装されていても良い。
【００２０】
音楽再生装置１１００は、操作入力処理部１１１０と、アラーム設定処理部１１２０と、サーバ通信処理部１１３０と、配信データ処理部１１４０と、を具備する。
【００２１】
操作入力処理部１１１０は、タッチパネル等のユーザインタフェースを介してユーザより行われる各種操作を入力する。操作入力処理部１１１０で入力される当該操作としては所定のオブジェクトに対するクリック操作やスワイプ操作などがある。なお、ユーザインタフェースとしては音声認識などの形態であっても良い。
【００２２】
アラーム設定処理部１１２０は、操作入力処理部１１１０で入力されるアラーム設定操作に基づいてアラームを設定する処理を行う。ここで、アラームを設定するとは、操作入力処理部１１１０で入力されるアラーム設定操作によってユーザより指定されるアラーム時刻に所定の処理を実行させる設定を行うことを言う。すなわち、アラーム設定処理部１１２０は、操作入力処理部１１１０で入力されるアラーム設定操作によってユーザより指定されるアラーム時刻に所定の処理を実行させる設定を行う。当該設定を行うことでアラーム時刻にOS側からコールされる。
【００２３】
サーバ通信処理部１１３０は、外部に配置されている音楽配信サーバ１２００に接続し、当該音楽配信サーバ１２００より配信されるデータを受信する処理を行う。ここで、音楽配信サーバ１２００より配信されるデータには少なくとも音楽データを含む。具体的には、サーバ通信処理部１１３０は、配信対象データ送信要求送信処理部１１３１と、配信対象データ受信処理部１１３２と、を具備する。
【００２４】
配信対象データ送信要求送信処理部１１３１は、アラーム設定処理部１１２０で設定されたアラーム時刻に基づいて、少なくとも音楽データを含む配信対象データを自端末装置１１００へ送信することを要求する配信対象データ送信要求を音楽配信サーバ１２００へ送信する処理を行う。
【００２５】
配信対象データ受信処理部１１３２は、配信対象データ送信要求送信処理部１１３１が送信した配信対象データ送信要求に基づいて送信される配信対象データを受信する処理を行う。
【００２６】
配信データ処理部１１４０は、アラーム設定処理部１１２０で設定されたアラーム時刻に基づいて、サーバ通信処理部１１３０で受信された配信データに対して所定の処理を行う。具体的には、配信データ処理部１１４０は、音楽データ再生開始処理部１１４１と、音楽データ再生停止処理部１１４２と、を具備する。
【００２７】
音楽データ再生開始処理部１１４１は、アラーム設定処理部１１２０で設定されたアラーム時刻に基づいて、サーバ通信処理部１１３０で配信データとして受信された音楽データの再生を開始する処理を行う。
【００２８】
音楽データ再生停止処理部１１４２は、音楽データ再生開始処理部１１４１が再生を開始した音楽データの再生を停止する処理を行う。例えば、音楽データ再生停止処理部１１４２は、操作入力処理部１１１０でユーザより再生停止操作が入力された場合や、音楽データの再生が完了された場合に、当該音楽データの再生を停止する処理を行う。
【００２９】
次に音楽配信サーバ１２００について説明する。音楽配信サーバ１２００は、配信候補データ受信処理部１２１０と、配信候補データ記憶処理部１２２０と、配信要求受信処理部１２３０と、配信登録処理部１２４０と、配信処理部１２５０と、配信対象データ選択処理部１２６０と、を具備する。
【００３０】
配信候補データ受信処理部１２１０は、音楽再生装置１１００への配信候補となるデータとして少なくとも音楽データを含む配信候補データを受信する処理を行う。例えば、アーティストは自身が作曲又は演奏する音楽をより多くの人へ広告する場合、PCなど自身の端末装置を用いて当該広告にかかる音楽の音楽データを配信候補データとして音楽配信サーバ１２００に送信し、配信候補データ受信処理部１２１０は、当該音楽データを含む配信候補データを受信する処理を行う。
【００３１】
配信候補データ記憶処理部１２２０は、配信候補データ受信部１２１０で受信された配信候補データを記憶媒体に記憶する処理を行う。
【００３２】
配信要求受信処理部１２３０は、アーティストは自身が作曲又は演奏する音楽の音楽データを含む配信候補データをユーザに対して配信することを要求する配信要求を受信する処理を行う。
【００３３】
配信登録処理部１２４０は、配信要求受信処理部１２３０で受信される配信要求に基づいて、配信候補データ受信処理部１２１０で受信されて配信候補データ記憶部１２２０で記憶媒体に記憶されている配信候補データを音楽再生装置１１００への配信対象とする配信対象データとして登録する処理を行う。具体的には、配信登録処理部１２４０は、配信要求に基づいて配信候補データを配信対象データとして配信用データベースに登録する。配信対象データは、少なくとも音楽データを含む。
【００３４】
配信処理部１２５０は、配信登録処理部１２４０によって配信対象データとして登録されているデータを複数の音楽再生装置１１００に送信する処理を行う。具体的には、配信処理部１２５０は、配信対象データ送信要求受信処理部１２５１と、配信対象データ送信処理部１２５２と、を具備する。
【００３５】
配信対象データ送信要求受信処理部１２５１は、複数の音楽再生装置１１００よりそれぞれ送信されてくる配信対象データの送信を要求する配信対象データ送信要求を受信する処理を行う。配信対象データ送信処理部１２５２は、配信対象データ送信要求受信処理部１２５１で受信された配信対象データ送信要求に基づいて配信登録処理部１２４０によって配信対象データとして登録されている配信対象データを音楽再生装置１１００へ送信する処理を行う。より具体的には、配信対象データ送信処理部１２５２は、配信対象データ送信要求受信処理部１２５１で受信された配信対象データ送信要求に基づいて配信登録処理部１２４０によって配信対象データとして登録されている配信対象データの中から配信対象データ選択処理部１２６０で選択された配信対象データを当該配信対象データ送信要求の要求元である音楽再生装置１１００へ送信する処理を行う。
【００３６】
配信対象データ選択処理部１２６０は、配信登録処理部１２４０によって配信対象データとして登録されている複数の配信対象データの中から配信処理部１２５０が音楽再生装置１１００へ送信する配信対象データを選択する処理を行う。具体的には、配信対象データ選択処理部１２６０は、配信対象データ送信要求受信部１２５１で配信対象データ送信要求を受信した場合に、配信登録処理部１２４０によって配信対象データとして登録されている複数の配信対象データの中から、当該配信対象データ送信要求の送信元である音楽再生装置１１００又はそのユーザに対して配信する配信対象データを選択する処理を行う。当該選択される配信対象データは、少なくとも音楽データを含む。
【００３７】
図２は、本実施形態１にかかる音楽配信システムの処理の流れを示すシーケンス図である。配信候補データ受信処理部１２１０は、自身が作曲や演奏する音楽を多くの人に配信して広く認知させたいと考えているアーティストや当該アーティストが所属する団体より送信される音楽データを含む配信候補データを受信する処理を行う（ステップS１０１）。配信候補データ記憶処理部１２２０は、配信候補データ受信部１２２０で受信された配信候補データを記憶媒体に記憶する（ステップS１０２）。
【００３８】
配信要求受信処理部１２３０は、上述した配信候補データを音楽再生装置１１００へ配信する配信対象データとして登録することを要求する配信要求を受信する処理を行う（ステップS１０３）。配信登録処理部１２４０は、配信要求受信処理部１２３０で受信された配信要求にかかる配信候補データを配信対象データとしてデータベースに登録する処理を行う（ステップS１０４）。配信対象データとして登録されたデータは音楽再生装置１１００からの配信要求に基づいて配信されるデータである。ここまでは、自身の音楽を広告したいアーティスト達が音楽配信サーバ１２００に対して行うアクションである。
【００３９】
当該アーティスト達とは独立して各音楽再生装置１１００のユーザはユーザインタフェースを介してアラームをセットする操作を行う。アラーム設定処理部１１２０は、操作入力処理部１１１０で入力されたアラーム設定操作に基づいてアラーム時刻を設定する処理を行う（ステップS１０５）。
【００４０】
配信対象データ送信要求送信処理部１１３１は、配信対象データの送信を要求する配信対象データ送信要求を音楽配信サーバ１２００に送信する処理を行う（ステップS１０６）。音楽配信サーバ１２００において、配信対象データ送信要求受信処理部１２５１は、音楽再生装置１１００の配信対象データ送信要求送信処理部１１３１より送信された配信対象データ送信要求を受信する処理を行う(ステップS１０７)。
【００４１】
配信対象データ選択処理部１２６０は、ステップS１０６で受信された配信対象データ送信要求に基づいて、ステップS１０４で登録されている配信対象データの中から配信対象データ送信要求の送信元ユーザの音楽再生装置１１００へ送信する配信対象データを選択する処理を行う（ステップS１０８）。配信対象データ送信処理部１２５２は、ステップS１０７で受信された配信対象データ送信要求に基づいてステップS１０８で選択された配信対象データを配信対象データ送信要求の送信元ユーザの音楽再生装置１１００に送信する処理を行う（ステップS１０９）。
【００４２】
音楽再生装置１１００において配信対象データ受信処理部１１３２は、ステップS１０６で送信した配信対象データ送信要求に基づいて音楽配信サーバ１２００より送信されてくる音楽データを含む配信対象データを受信する処理を行う（ステップS１１０）。音楽データ再生開始処理部１１４１は、ステップS１０５で設定されたアラーム時刻に基づいて、ステップS１１０で受信された配信対象データに含まれる音楽データを再生する処理を行う（ステップS１１１）。音楽データ再生停止処理部１１４２は、ステップS１１１で開始された音楽データの再生を、当該音楽データの再生が完了した場合やユーザからのアラーム停止操作が入力された場合に停止する処理を行う（ステップS１１２）。
【００４３】
以上のように、本実施形態１にかかる音楽祭装置は１１００は、少なくともアラーム時刻を設定する設定手段と、外部に配置されているサーバに接続して音楽データを含む配信対象データを受信する通信手段と、設定されたアラーム時刻に基づいて前記配信対象データに含まれる音楽データの再生を開始する処理開始手段と、前記音楽データの再生を停止する処理停止手段と、を具備する。また、音楽配信サーバ１２００は、音楽データを含む配信候補データを記憶媒体に記憶する配信候補データ記憶手段と、前記配信候補データに対する配信要求に基づいて前記記憶媒体に記憶されている配信候補データを配信対象データとして登録する配信対象データ登録手段と、音楽再生装置から送信される配信対象データ送信要求を受信する配信対象データ送信要求受信手段と、前記受信された配信対象データ送信要求に基づいて、前記登録されている複数の配信対象データの中から前記音楽再生装置へ配信する配信対象データを選択する配信対象データ選択手段と、選択された配信対象データを前記音楽再生装置へ送信する配信対象データ送信手段と、を具備する。
【００４４】
上記構成で音楽を配信することで自身が作曲したり演奏したりしている音楽を一般市民に広く認知させることができ、当該音楽を気に入った一般市民を当該音楽の購買行動へ誘導することができる。
【００４５】
上述した音楽配信システムは、アーティスト（ミュージシャン）が作曲・作詞・編曲・演奏等を行う音楽を一般市民により多く購入するための広告を配信するものである。それは以下のような考察に基づいて行われている。
【００４６】
近年、WEBページの中に埋め込まれた広告エリアに２次元イメージデータや１次元文字データを表示するタイプの広告が増えている。一方、音楽に関してはこのようなメディアを用いて広告することは困難である。それは大きく分けて（１）視覚認識困難性、（２）時間拘束性、の２つの理由に基づく。
【００４７】
有体物である製品の価値は、そのデザインや機能によってその価値の多くが決定される。３次元の製品を写像（縮小や投影）することにより２次元イメージに変換することは容易である。なぜならば、私達の視覚がそもそも３次元の物体からの光を２次元の網膜で受けて情報に変換しているため、視差を除けば予め２次元に変換されていても得られる情報量は同じだからである。また、機能についてもキャッチコピーや文章など１次元の文字データで表すことは可能である。
【００４８】
このように、製品は３次元の空間方向に広がっていることから、その外観であるデザインを２次元イメージへ変換することが可能であるし、機能についてもシンボル化して１次元の文字で表すことが可能である。一方、音楽は時間方向に広がるサービスであるため、このような変換が難しいという問題がある。
【００４９】
一瞬の音楽は単なる音でしかなく価値を持たないことからもわかるように、音楽とはピッチ、メロディー、使用楽器、などを組み合わせて時間方向に構成（Compose）した作品である。時間軸と空間軸は直交していることから時間軸方向に広がる情報を視覚で捉えられる空間２次元イメージに変換することは困難である。シンボル化して楽譜で表現することは一部可能であるが、音楽は芸術の一形態であり、シンボル化することでその細部の情報が欠落してしまい、芸術性が失われてしまうため、その音楽の価値もまた失われてしまうという問題がある。また、日本人の多くがアラビア語を読めないように、シンボル化するためにはそこにある変換規約（プロトコル）を理解していることが前提である。一流の音楽家であればシンボル化された楽譜を一読するだけでその音楽が優れているかどうかを判断することはある程度可能であるかもしれないが、一般人には厳しい。
【００５０】
このような理由から、時間方向に情報が広がる音楽を２次元イメージや１次元文字に変換することが困難であることから、対象となる音楽を視覚を通じて評価することは困難となる。したがって、購入に価する音楽であるかどうかをユーザが評価するためには、聴覚を用いて評価する必要が出てくる。
【００５１】
ここで、視覚と聴覚がそれぞれ備える感覚器としての特徴が新たな問題を生むことになる。自然界にはコウモリなど暗闇の洞窟内で生活し、超音波で外界索敵を行う動物のように視覚よりも聴覚が発達している動物もいるが、人間は聴覚よりも視覚の方が発達している。もし、視覚か聴覚かどちらか１つを失わなければならないとすれば多くの人間は聴覚を失う方を選ぶであろう。
【００５２】
人間の視覚は聴覚と比較して大量の情報を並行して処理することが可能であるという特徴を有する。私達は焦点を合わせているエリアの情報を処理しながらも視覚が持つ周辺領域からの情報を入手して薄く処理することは可能である。このことがWEB広告を可能としている。すなわち、メインタスクとしてWEBサイトのコンテンツを消費しつつも周辺視野を使って広告を認識しており、興味ある広告に焦点を合わせるということが可能である。これはWEB広告に限らず、チラシなどにおいても数個の広告商品の情報を一度に取得して価値を評価することが可能である。
【００５３】
一方、百聞は一見に如かずという諺もあるように、聴覚は１度に複数の情報を処理することが困難である。したがって聴覚を通じて広告を広告対象者であるユーザに評価するためには、ユーザが持つ情報処理能力を当該広告の処理へ拘束する必要がある。このように聴覚は視覚と比較して並行処理が困難である。
【００５４】
また人間の聴覚は、視覚と比較して入力される情報を遮断することが困難であるという特徴を有している。例えば、視覚で認識される情報を遮断したければ瞼を閉じるか、首を傾けたり視線を逸らすだけで情報が入力されることを防ぐことができるのに対し、聴覚では自身が聞きたくないと思っても両耳を手で思いっきり塞ぐか、その音が聞こえなくなる場所まで自ら移動する必要がある。このように聴覚は視覚と比較して入力される情報を遮断することが困難である。
【００５５】
この聴覚が持つ並行処理困難性と情報遮断困難性は、聴覚を通じて情報が入力される場合にそのユーザの時間を拘束してしまうという時間拘束性に帰結する。インターネットが情報経路というリソースを共有することでコストを下げているのに対し、電話回線が通信経路を占有することでコストが高くなる原理と同じである。この情報遮断困難性があるために例えばWEBページなどでユーザの許可もなく音楽を流すことは暗黙的に禁止されている。視覚のデザイン等でユーザが気に入らなければ情報を自ら遮断すれば良いのに対し、音楽は情報を容易に遮断することができず、遮断するためにユーザに強いるコストが高いためである。
【００５６】
Time is moneyという諺があるように、広告対象者にとって広告という情報を提示されることで、自身の時間が奪われている側面がある。したがって自身に関係がない広告を提示されるとユーザはイライラする。それは、自身が保有するリソースである価値を有する時間が他者に無駄に奪われているためである。
【００５７】
以上説明した視覚認識困難性と時間拘束性は、聴覚を通じて音楽を広告し、ユーザに評価させる場合のコストが非常に高くなるという問題を生ずることになる。すなわち、製品の広告であれば、例えばユーザが１秒に３つの広告を視覚を通じて評価できるとすれば３０秒の間に９０個の製品の広告を処理することができる。一方、聴覚を通じて音楽を評価する場合では、３０秒程度その音楽を聞いてみなければ評価することは難しい。この場合、視覚を通じて広告する場合と聴覚を通じて広告する場合では実に９０倍のコスト差を生じていることになる。
【００５８】
ユーザから見ると自身が持つ資産（お金）を消費して財を購入する場合において、その情報が視覚を通じて認識されたか聴覚を通じて認識されたかは重要ではなく、その財が提示されている価格以上の価値を有していると感じるかの１点に尽きる。したがって、自身の音楽をユーザに購入してもらう場合においても、一般的な有体物の製品と同じ競争を行わなければならない。この点において、聴覚を通じてのみ広告ができるという音楽は広告コストの面で非常なハンディーキャップを追っていることになる。
【００５９】
現在のWEB広告ではこのような広告対象物が本質的な特徴を十分に検討していなかった。かつては、テレビCMというメディアが主な広告手段であったため、この点はさほど争点にはならなかった。なぜならばテレビCMは視覚と聴覚を使って１５秒から３０秒程度ユーザを拘束する形態の広告であるため、有体物の製品であっても新しく作曲された音楽であっても同じ広告コストであったためである。しかし、ユーザが費やす時間がテレビからインターネットに移行する中で、広告形態もテレビCMからWeb広告へと移り変わる中、Webというメディアの特性が広告対象物に広告コスト差を顕著に生じさせるようになってきている。したがって、聴覚を通じてユーザに広告するためにはWebページ内の周辺領域に広告スペースを埋め込む方法とは別の広告手段を考えなければならなくなっていると言える。
【００６０】
このような考察を進めた結果、音楽に特化した広告方法が本実施形態１に開示の技術である。まず、上述したように音楽は本質的に聴覚でのみ有効に広告し得るものであり、この点は変更をすることが難しい。この聴覚を通じてユーザに広告対象物の情報を送り込むという方法は、視覚で情報を送り込む場合と比較して、並行処理困難性や時間拘束性の問題によりより多くのユーザの時間を奪うためにコストが上がってしまうという点に問題がある。
【００６１】
そこで本発明者が着目した点は、より多くの時間をユーザから貰わなければならないというのであれば、ユーザの時間の価値が低い時間を貰うという点である。これは、「時間の価値は変動する」という特性に着目している。
【００６２】
人間には平均的に６０秒×６０分×２４時間×３６５日×８０年程度の時間が与えられている。健康度等によって幾分左右されるものの、その者が持つ資産の多寡や身分といったものによって与えられる時間が変わるものではない。このように平等に与えられる時間であるからこそ、その時間の価値は異なることになる。
【００６３】
まず、人によって時間の価値は異なる。例えば、日本首相の１時間と一般市民の１時間では価値が異なる。日本首相に１時間貰おうとすれば非常に多くの金を積むか、それ相応の理由がなければならない。何の理由もなければ１０００万円から１億円程度を積まなければ日本の首相は１時間を自身の雑談のために割いてはくれないであろう。一方、一般市民の１時間であれば、１００万円も渡せば多くの人は時間を割いてくれると思われる。
【００６４】
次に、時間は同じ人間であっても人生における時期によって異なる。プロ野球選手であれば現役時代の１時間を割いてもらうのと引退後に１時間割いてもらうのでは必要となる金額は変わるであろうし、一般市民であっても多感な青春時代の１時間と余暇を過ごす老後の１時間では金額は異なるであろう。
【００６５】
次に、時間は年によっても異なる。自由に時間を使える大学４年生の時に１時間を割いてもらうのと、社会人になった後の１時間を割いてもらうのでは必要となる金額は異なるであろう。
【００６６】
次に、時間は日によっても異なる。大学浪人生に入学試験前日の１時間を割いてもらうのと入学試験当日の１時間を割いてもらうのでは必要とする金額に大きな差を生むことは明らかである。
【００６７】
このように考えていくと、１日の中でも時間の価値は常に変動していることがわかる。仕事に集中している時の３０秒を割いてもらうのと、トイレで退席している時の３０秒を割いてもらうのでは価値が異なることがわかる。この点を鑑みれば、ユーザに多くの時間を割いてもらわなければならない音楽広告であるからこそ、そのユーザの１日の中で時間の価値が相対的に低い時間帯を狙って広告を出すことが重要であるという結論に至る。比較的時間の価値が低そうな時間帯として、朝目覚める時間、トイレにいく時間、風呂に入る時間、通勤・通学時間、運動している時間、などが考えられる。
【００６８】
次に、聴覚を通じた音楽広告では並行処理困難性や情報遮断困難性によりユーザの時間を拘束してしまうという特徴を踏まえ、ユーザの時間を一定程度拘束することがユーザの負担にならない時間帯に音楽広告を提示する必要がある。例えばユーザが集中しようとしている時や休息することがメインタスクである時に音楽広告を提示することはユーザのメインタスクを阻害する方向に働くため、行ってはならないということになる。
【００６９】
このように考えていくと、聴覚を通じた音楽広告を行う際に求められる要件を満たす時間帯として「目覚め」の時間帯が好ましいことになる。第１に、目覚めの時間はユーザの脳が覚醒しきっておらず、睡眠状態から覚醒状態へ移行させるのに数十秒から数分の時間を要するためである。また、この間におけるユーザのメインタスクは脳を覚醒させることであり、外界からの刺激を入力することはそのメインタスクを助ける方向に働くためである。
【００７０】
以上のことから、人間に１日１回巡ってくる「目覚め」というイベントに合わせて音楽広告を提示することで非常に低いコストでユーザに効率的に音楽を広告することが可能となる。
【００７１】
なお、上述した配信対象データはアーティストがユーザに対して広告したいと考えている情報をデジタルデータ化したものであるため、本明細書では広告対象データと称することがある。なお、通常の製品において広告は当該製品の持つ情報を抽出及び圧縮したものであることから製品と広告は非同一であるのに対し、音楽はその最終製品である音楽と広告が同一である。このことから、当該ユーザに提示する音楽を広告と捉えれば広告対象データとなるし、サービスとしての音楽と捉えれば配信対象データとなる。どのように取られるかは音楽配信サーバ１２００の提供者のビジネスモデルに依存するが、どちらの観点から捉えるにせよ、ユーザが当該音楽により多く接する機会を持つことで音楽配信委託者である当該音楽にかかるアーティストの収益性を向上させることが可能となる。
【００７２】
なお、上記説明では配信対象データとして広告にかかる音楽データを配信する構成について説明したが、当該音楽データに加えて当該音楽データにかかるアーティストのイメージデータや当該アーティストを紹介する文字データを配信対象データとして配信する構成とすると更に良好である。
【００７３】
図３は、音楽データに加えて配信対象データとしてアーティスト関連データを送信する構成を示すブロック図である。配信対象データ処理部１１３０は、アーティスト関連データ表示処理部１１４３を更に具備する。
【００７４】
アーティスト関連データ表示処理部１１４３は、アラーム設定処理部１１２０が設定したアラーム時刻に基づいて、配信対象データ受信処理部１１３２で受信された配信対象データに含まれるアーティスト関連データをディスプレイに表示する処理を行う。
【００７５】
図４は、当該アーティスト関連データをディスプレイに表示する音楽再生装置１１００の正面図の一例を示している。音楽再生装置１１００は、アーティスト関連データを表示するディスプレイ１１０１、実行するアプリケーションを切り替えるホームボタン１１０２、配信データ処理部１１４０で再生される音楽データを電気信号から空気振動に変換して放音するスピーカー１１０３などを備えている。アーティスト関連データ表示処理部１１４３は、ディスプレイ１１０２の所定の位置に表示用のビュー（View）を配置しており、アーティスト関連データに含まれるアーティストイメージデータをイメージビュー１１０４へ、アーティストの名前、音楽ジャンル、年齢、紹介文、の文字データをそれぞれテキストビュー１１０５、１１０６、１１０７、１１０８に表示する処理を行う。
【００７６】
当該構成とすることで、アラーム設定処理部１１２０で設定されるアラーム時刻に配信対象データである音楽が再生されるとともに、ディスプレイに当該音楽にかかるアーティストの情報が表示されことにより、ユーザは朝目覚めるタイミングで聴覚と視覚の両方の感覚器官を通じて音楽及び当該音楽の作曲者または演奏者であるアーティストを評価することができるためより効率的に広告を行うことが可能となる。広告対象の音楽に係るアーティストの情報は当該音楽の価値を判断する上の補助材料として機能するためである。
【００７７】
（実施形態２）
実施形態１では音楽が聴覚を通じてのみ効率的にユーザに広告出来る点と、聴覚は視覚と比較して情報をユーザに伝達する際に要するコストが高いことから、ユーザの時間単価が相対的に安く、時間を拘束することが問題にならない時間帯である「目覚め」とリンクさせて音楽を提示することを特徴としている。
【００７８】
しかしながら、例え相対的にコストが低くてもユーザからしてみれば自身の興味の引かない、すなわちユーザにとって価値のない音楽を提示されることはコストとなる。したがって、ユーザにとって価値のある音楽が広告されることが好ましいことになる。本実施形態２にかかる音楽配信システムでは、当該ユーザの属性情報を加味した音楽広告を行うことを特徴とする。以下、図面を用いて詳細に説明する。なお、実施形態１で説明した部分については発明の明確化のために一部説明を省略する。
【００７９】
図５は本実施形態２にかかる音楽配信システムの構成を示すブロック図である。音楽配信システムを構成する音楽再生装置２１００は、装置側ユーザ情報登録処理部２１１０を更に具備する。
【００８０】
装置側ユーザ情報登録処理部２１１０は、操作入力部１１１０を介して入力されるユーザ情報登録操作に基づいて当該音楽再生装置２１００のユーザに関する所定の情報をユーザ情報として登録する処理を行う。ユーザ登録する情報としては、例えばユーザの性別、ユーザの年齢または年齢グループ、居住地域、などに関する情報である。ここで年齢グループとは、複数の年齢をグループ分けしたものである。
【００８１】
配信対象データ送信要求送信処理部１１３１は、装置側ユーザ情報登録処理部２１１０で登録されているユーザ情報を含む配信対象データ送信要求を音楽配信サーバ２２００に送信する処理を行う。
【００８２】
音楽配信サーバ２２００は、アーティスト情報受信処理部２２１０と、アーティスト情報登録処理部２２２０と、を具備する。
【００８３】
アーティスト情報受信処理部２２１０は、配信対象データの配信要求元であるアーティストに関する情報であるアーティスト情報を受信する処理を行う。ここで、アーティストとは音楽データを含む配信対象データの配信を要求するサービス享受者であり、当該音楽を作曲・作詞・編曲・演奏を行っている者をさす。アーティスト情報としては、当該アーティストのイメージデータ、性別、活動地域、音楽ジャンル、年齢、メンバー、設立年月日、これまでにリリースした音楽に関する情報などが含まれる。
【００８４】
アーティスト情報登録処理部２２２０は、アーティスト情報受信処理部２２２０で受信されたアーティスト情報を登録する処理を行う。具体的にアーティスト情報は、配信対象データに含まれる音楽データにかかるアーティストに関する情報である。
【００８５】
配信要求受信処理部１２３０は、配信にかかる配信対象データの配信先を指定する情報である配信先指定情報を含む配信要求を受信する処理を行う。配信先指定情報とは、配信先となるユーザの性別、年齢グループ、居住地域などを指定するための情報である。
【００８６】
配信対象データ選択処理部１２６０は、配信対象データ送信要求受信処理部１２５１で受信される配信対象データ送信要求に含まれるユーザ情報と、配信要求受信処理部１２３０で受信される配信要求に含まれる配信先指定情報に基づいて、配信対象データ登録処理部１２４０で登録されている複数の配信対象データの中から、当該配信対象データ送信要求の送信元ユーザへ配信する配信対象データを選択する処理を行う。例えば、ユーザ情報に含まれるユーザの性別、年齢グループ、居住地域と、配信要求に含まれる配信先となるユーザの性別、年齢グループ、居住地域が一致する配信要求にかかる配信対象データを選択する処理を行う。
【００８７】
配信対象データ送信処理部１２５２は、配信対象データ選択処理部１２６０で選択された配信対象データを音楽再生装置２１００に送信する処理を行う。
【００８８】
以上のように本実施形態２にかかる音楽配信システムによれば、ユーザ側の音楽嗜好とアーティスト側が希望する配信先とを考慮した上で、ユーザに配信される音楽を選択するため、ユーザは自身に興味がない音楽が配信されてくる可能性を下げることが出来るため、音楽広告のコストを下げることができる。
【００８９】
なお、上記説明では、ユーザ情報として性別、年齢、地域に関する情報を登録する場合について説明したがこれに限定されるものではない。例えば、ユーザ情報として、配信を希望する音楽ジャンル、配信元のアーティストの性別、グループ構成、レベルなどの情報をユーザ情報の一種である音楽嗜好性情報として登録する構成であっても良い。
【００９０】
この場合、配信対象データ選択処理部１２４０は、アーティスト情報登録部２２２０によってアーティスト情報として登録されているアーティスト情報に含まれる当該アーティストの性別、グループ構成、レベルなどの情報と配信対象データ送信要求に含まれるユーザ情報とに基づいて、配信対象データを選択する構成としても良い。
【００９１】
（実施形態３）
ユーザが朝起床する時間にはかなりの共通性がある。一般的には朝６時から朝９時の間という限られた時間帯であって、朝７時丁度などキリの良い時間をアラーム時刻としてセットするユーザは多い。したがって、ユーザがセットしたアラーム時刻に複数の音楽再生装置より音楽配信サーバに対して配信対象データ送信要求が送信されると音楽配信サーバの処理能力を超えてしまう可能性がある。本実施形態３にかかる音楽配信システムはこのようなトラフィック集中の問題を回避することを目的としている。以下、図面を参照して詳細に説明する。なお、上述の実施形態ですでに説明している部分については発明の明確化のため一部説明を省略する。
【００９２】
図６は、本実施形態３にかかる音楽配信システムの構成を示すブロック図である。本実施形態３にかかる音楽配信システムにおいて、音楽再生装置３１００は、配信対象データ送信要求時刻設定処理部３１１０と、配信対象データ記憶処理部３１２０と、を具備する。
【００９３】
配信対象データ送信要求時刻設定処理部３１１０は、アラーム設定処理部１１２０が設定するアラーム時刻に基づいて、配信対象データ送信要求を音楽配信サーバ３２００に送信するタイミングとなる配信対象データ送信要求時刻を設定する処理を行う。例えば、配信対象データ送信要求時刻設定処理部３１１０は、現在の時刻とアラーム時刻との間の時刻をランダムで選択し、当該選択した時刻を配信対象データ送信要求時刻として設定する。
【００９４】
配信対象データ送信要求送信処理部１１３１は、配信対象データ送信要求時刻設定処理部３１１０によって、設定された配信対象データ送信要求時刻に音楽配信サーバ３１００へ配信対象データ送信要求を送信する処理を行う。
【００９５】
配信対象データ記憶処理部３１２０は、上記配信対象データ送信要求時刻に送信される配信対象データ送信要求に基づいて配信対象データ受信処理部１１３２で受信された配信対象データを記憶媒体に記憶する処理を行う。
【００９６】
音楽データ再生開始処理部１１４１は、アラーム設定処理部１１２０で設定されるアラーム時刻に基づいて配信対象データとして記憶媒体に記憶されている音楽データを読み出して再生を開始する処理を行う。また、アーティスト関連情報表示処理部１１４３は、アラーム設定処理部１１２０で設定されるアラーム時刻に基づいて、配信対象データとして記憶媒体に記憶されているアーティスト関連データを読み出してディスプレイに表示する処理を行う。
【００９７】
当該構成とすることで「目覚め」というユーザ間で時間が共通しているイベントに対して各ユーザに音楽を提示する場合であっても、セットされるアラーム時刻より以前の段階で所定のアルゴリズムにしたがって決定した時刻に音楽配信サーバにアクセスして配信対象データを受信して記憶媒体に記憶しておくことでサーバへのアクセス集中を回避することができる。
【００９８】
（実施形態４）
上述の実施形態では、音楽再生装置より音楽配信サーバへ十分な情報がフィードバックされていないため、広告の効果を音楽配信サーバ側で解析してより効率的な広告配信に改善すると言った処理を行うことが困難であった。本実施形態４にかかる音楽配信システムでは、配信対象データとしてユーザに提示された際のユーザの反応を次の広告配信に用いることでより効率的な広告配信を可能とする点を特徴とする。以下、図面を用いて詳細に説明する。なお、上述の実施形態で既に説明した部分については発明の明確化のため一部説明を省略する。
【００９９】
図７は、本実施形態４にかかる音楽配信システムの構成を示すブロック図である。本実施形態４にかかる音楽配信システムにおいて音楽再生装置４１００は、配信対象データ記憶管理処理部４１１０と、お気に入りアーティスト関連データ表示処理部４１２０と、フィードバックデータ生成処理部４１３０と、を更に具備する。また、サーバ通信処理部１１３０は、ユーザ登録情報送信処理部１１３３と、フィードバックデータ送信処理部１１３４と、を更に具備する。
【０１００】
ユーザ登録情報送信処理部１１３３は、操作入力処理部１１１０を介して入力されるユーザ情報登録操作に基づいて装置側ユーザ情報登録処理部２１１０で装置内に登録されるユーザ情報の一部または全部の情報を音楽配信サーバ４２００側へユーザ登録情報として送信する処理を行う。ユーザ登録情報としては、上述したようにユーザの性別、年齢グループ、居住地域などの情報が含まれる。
【０１０１】
配信対象データ記憶管理処理部４１１０は、配信対象データ記憶処理部３１２０によって記憶媒体に記憶されている配信対象データの記憶を管理する処理を行う。具体的には、配信対象データ記憶管理処理部４１１０は、配信対象データ記憶処理部３１２０によって記憶媒体に記憶されてから所定の日時が経過した配信対象データを記憶媒体から自動的に消去する処理を行う。
【０１０２】
なお、配信対象データに含まれる音楽データの再生やアーティスト関連データの表示によって当該音楽又はアーティストに関心を持ったユーザは、これらのデータを装置内に「お気に入りアーティスト」のデータとして保持しておきたい場合が考えられる。したがって、
配信対象データ記憶管理処理部４１１０は、操作入力処理部１１１０を介してお気に入りアーティスト追加操作が入力された場合に、記憶媒体に記憶されている配信対象データを自動消去の対象から外す処理を行う構成とすると更に良好である。
【０１０３】
お気に入りアーティスト関連データ表示処理部４１２０は、操作入力処理部１１１０を介して入力されたお気に入り追加操作に基づいて配信対象データ記憶管理処理部４１１０でお気に入りアーティストとして処理されたアーティストに関する関連データをディスプレイに表示する処理を行う。当該構成とすることで、受信された配信対象データに含まれる音楽データの再生やアーティスト関連データの表示によってそのアーティストに興味を持ったユーザは、お気に入り追加操作を行うことで好きな時に当該アーティストの情報にアクセスすることが可能となる。
【０１０４】
フィードバックデータ生成処理部４１３０は、音楽配信サーバ４２００にフィードバックするフィードバックデータ（フィードバック情報）を生成する処理を行う。ここでフィードバック情報とは、配信対象データに対するユーザの反応を音楽配信サーバ４２００に返信することで当該ユーザに対して配信する今後の配信対象データの選択をより最適化するために用いられる情報である。具体的には、フィードバックデータ生成処理部４１３０は、音楽データ再生開始処理部１１４１によって開始される音楽データの再生時刻と音楽データ再生停止処理部１１４２によって停止された停止時刻を取得する、これらの時刻情報をフィードバック情報として生成する処理を行う。どれだけの間音楽データの再生が継続していたかという情報に当該音楽データに対するユーザの興味の度合いが反映されているため、当該情報をフィードバック情報として生成する。
【０１０５】
なお、フィードバックデータ生成処理部４１３０は、配信対象データ記憶管理処理部４１２０でお気に入りアーティストとして追加されたかどうかに関する情報をフィードバック情報として生成する構成としても良い。お気に入りアーティストとして追加したということは、ユーザの興味を大きく引いたことを示しているため、次回以降の配信対象データとして類似のジャンルのアーティストを選択するといった処理に反映させることが可能であるためである。
【０１０６】
また、フィードバックデータ生成処理部４１３０は、音楽データの再生が完了したことで音楽データの再生が停止されたか、ユーザからの操作によって音楽データの再生が停止されたかを示すフラグデータをフィードバック情報として返信する構成としても良い。アーティスト側としては自分が作曲した作品である音楽を１曲ちゃんと聞いてくれたかどうかをフィードバック情報として取得したいためである。
【０１０７】
フィードバックデータ送信処理部１１３４は、フィードバックデータ生成処理部４１３０で生成されたフィードバック情報を音楽配信サーバ４２００へ送信する処理を行う。
【０１０８】
音楽配信サーバ４２００は、サーバ側ユーザ情報登録処理部４２１０と、フィードバックデータ記憶処理部４２２０と、データ解析処理部４２３０と、解析結果表示処理部４２４０と、ユーザ登録情報更新処理部４２５０と、を具備する。また、配信処理部１２５０は、ユーザ登録情報受信処理部１２５３と、フィードバックデータ受信処理部１２５４と、を具備する。
【０１０９】
ユーザ登録情報受信処理部１２５３は、音楽再生装置４１００のユーザに関するユーザ登録情報を受信する処理を行う。フィードバックデータ受信処理部１２５４は、配信対象データ送信処理部１２５２より送信された配信対象データに対するユーザからの反応結果に関するフィードバックデータを受信する処理を行う。
【０１１０】
サーバ側ユーザ登録処理部４２１０は、ユーザ登録情報受信処理部１２５３で受信されたユーザ登録情報に基づいて当該ユーザ登録情報で示されるユーザをデータベースに登録する処理を行う。
【０１１１】
フィードバックデータ記憶処理部４２２０は、フィードバックデータ受信処理部１２５４で受信されたフィードバックデータを記憶媒体に記憶する処理を行う。
【０１１２】
データ解析処理部４２３０は、フィードバックデータ記憶処理部４２２０によって記憶媒体に記憶されているフィードバックデータに基づいて所定の解析処理を行う。例えば、データ解析処理部４２３０は、当該フィードバックデータに係るユーザの過去のフィードバックデータの傾向と比較することで、当該フィードバックデータに係る配信対象データに含まれる音楽やアーティストに興味を示したかどうかを推定する処理を行う。当該解析を同一の配信対象データに対するフィードバックデータに対して行うことで、年齢グループ毎や性別毎、地域毎に興味度合いの傾向を算出する処理を行う。
【０１１３】
解析結果表示処理部４２４０は、配信要求元のアーティストからの解析結果表示要求に基づいてデータ解析処理部４２３０における解析結果を画面に表示する処理を行う。
【０１１４】
ユーザ登録情報更新処理部４２５０は、サーバ側ユーザ情報登録処理部によってユーザ登録されているユーザの音楽嗜好度に関するパラメータを当該ユーザからのフィードバックデータに基づいてデータ解析処理部４２３０が行った解析結果に基づいて更新する処理を行う。
【０１１５】
以上の構成によれば、音楽再生装置側で提示された配信対象データに対するユーザからのフィードバックを解析するとともに各ユーザの音楽嗜好性のパラメータに反映させることで、今後の配信対象データ選択をより効率良く行うことができる。
【０１１６】
（実施形態５）
一般的にユーザは自身が起床したい時刻をアラーム時刻として設定する。仕事や学業を抱える市民は、出社時間や登校時刻が決められており、そこから逆算してアラーム時刻を設定しているため、その時刻から音楽データの再生が数分間に渡って行われるとユーザはじっくり聞くことができず広告比率が落ちてしまうという問題があった。以下、図面を用いて詳細に説明する。ただし、すでに説明している部分については発明の明確化のために一部は説明を省略する。
【０１１７】
図８は本実施形態５に係る音楽再生装置５１００の構成を示すブロック図である。本実施形態５にかかる音楽再生装置５１００は、アラーム音データ記憶処理部５１１０と、アラーム処理部５１２０と、配信対象データ処理時刻設定処理部５１３０と、を具備する。またサーバ通信処理部１１３０は、アラーム音データ受信処理部１１３５を更に具備する。
【０１１８】
アラーム音データ受信処理部１１３５は、例えばアプリケーションをダウンロードするタイミングでアラーム音データを受信する処理を行う。当該受信処理はユーザが設定するアラームとは独立して行われる。本明細書ではユーザからのアープリケーションダウンロード操作に基づいて受信される当該アラーム音データを第１種音声データと、ユーザからのアラーム設定操作に基づいて受信される配信対象音楽データを第２種音声データと称することがある。アラーム音データはアプリケーションダウンロード時の１回に受信されるのに対し、配信対象音楽データは毎週又は毎日受信される点が異なる。
【０１１９】
アラーム音データ記憶処理部５１１０は、アラーム音データ受信処理部１１３５で受信されたアラーム音データを記憶媒体に記憶する処理を行う。アラーム音データとしては数秒から数十秒程度のベル等の目覚まし音データなどであると良い。ユーザを目覚めさせるために用いられる音データである。
【０１２０】
アラーム処理部５１２０は、アラーム設定処理部１１２０によって設定されるアラーム時刻にアラームを処理する。具体的には、アラーム処理部５１２０は、アラーム音データ再生開始処理部５１２１と、アラーム音データ再生停止処理部５１２２と、アラーム画面表示処理部５１２３と、を具備する。
【０１２１】
アラーム音データ再生開始処理部５１２１は、アラーム設定処理部１１２０によって設定されるアラーム時刻に、アラーム音データ記憶処理部５１１０によって記憶媒体に記憶されているアラーム音データを読みだして再生する処理を行う。
【０１２２】
アラーム画面表示処理部５１２２は、アラーム設定処理部１１２０によって設定されるアラーム時刻にアラーム画面を表示する処理を行う。
【０１２３】
アラーム音データ再生停止処理部５１２３は、アラーム音データ再生開始処理部５１２１によって開始されたアラーム音データの再生を、操作入力処理部１１１０で入力されるアラーム音データ再生停止操作に基づいて停止する処理を行う。
【０１２４】
配信対象データ処理時刻設定処理部５１３０は、配信対象データ受信処理部１１３２で配信対象データが受信された場合に、アラーム設定処理部１１２０で設定されるアラーム時刻に基づいて配信対象データ記憶処理部３１２０で記憶媒体に記憶される配信対象データを処理する時刻を設定する処理を行う。例えば、配信対象データ処理時刻設定処理部５１３０は、アラーム設定処理部１１２０で設定されるアラーム時刻から所定の時間遡った時刻を配信対象データを処理する配信対象データ処理時刻として設定する処理を行う。
【０１２５】
配信対象データ処理部１１４０は、配信対象データ処理時刻設定処理部５１３０で設定される配信対象データ処理時刻に配信対象データ記憶処理部３１２０で記憶媒体に記憶される配信対象データを処理する。具体的には、音楽データ再生開始処理部１１４１は、配信対象データ処理時刻設定処理部５１３０で設定される配信対象データ処理時刻に基づいて配信対象データ記憶処理部３１２０で記憶媒体に記憶される音楽データの再生を開始する処理を行う。また、アーティスト関連データ表示処理部１１４３は、配信対象データ処理時刻設定処理部５１３０で設定される配信対象データ処理時刻に基づいて配信対象データ記憶処理部３１２０で記憶媒体に記憶されるアーティスト関連データを所定の形式で画面の所定位置に配置して表示する処理を行う。
【０１２６】
当該構成とすることで、ユーザが設定したアラーム時刻から遡った時刻に配信対象データが処理されるため、ユーザが設定したアラーム時刻までに処理の全てまたは大部分を終えることが可能となる。
【０１２７】
（実施形態６）
図９は本発明の実施形態６に係る音楽広告システムの構成を示すブロック図である。音楽広告システムは、複数の音楽広告処理装置６１００と、音楽広告サーバ６２００と、を含んで構成される。
【０１２８】
音楽広告処理装置６１００の具体的形態としては、スマートフォンやフィーチャーフォンといった携帯端末装置の他、タブレット端末装置、ウェアラブル端末装置などが該当する。音楽広告処理装置は１台の装置で構成されていても良いが、音楽広告処理システムとして複数の装置に分かれた状態で構成されていても良い。
【０１２９】
音楽広告処理装置６１００は、操作入力処理部６１１０と、アラーム設定処理部６１２０と、アラーム管理処理部６１３０と、サーバ通信処理部６１４０と、広告対象データ記憶処理部６１５０と、広告対象データ処理部６１６０と、を具備する。
【０１３０】
操作入力処理部６１１０は、タッチパネル等のユーザインタフェースを介してユーザより行われる各種操作を入力する。操作入力処理部６１１０で入力される当該操作としてはディスプレイに表示されているビュー（View）など所定のオブジェクトに対するクリック操作やスワイプ操作などがある。なお、操作入力処理部６１１０は、音声入力などの方法でユーザからの所定の指示操作を入力する構成であっても良い。
【０１３１】
アラーム設定処理部６１２０は、操作入力処理部６１１０でユーザより入力されるアラーム設定操作に基づいてアラームをセットする処理を行う。ここで、アラーム設定処理部６１２０が入力するアラーム設定操作は、具体的にはアラーム時刻を設定する操作に該当するため、本明細書ではアラーム時刻設定操作と称することがある。アラーム設定処理部６１２０は、操作入力処理部６１１０でユーザより入力されるアラーム時刻設定操作に基づいてユーザより指定される時刻をアラーム時刻として設定する処理を行う。
【０１３２】
アラーム管理処理部６１３０は、アラーム設定処理部６１２０で設定されるアラーム時刻に所定の処理を実行する。アラーム管理処理部６１３０は、OS（Operating System）に実装される機能の一部であり具体的にはAlarmManagerなどの機能が該当する。本実施形態６では、アラーム管理処理部６１３０は後述する広告対象データ処理部６１６０に対して、アラーム設定処理部６１２０が設定したアラーム時刻になったことを通知する処理を行う。
【０１３３】
サーバ通信処理部６１４０は、音楽広告サーバ６２００と所定の時刻で通信を行う。サーバ通信処理部６１４０は、広告対象データ配信要求送信処理部６１４１と、広告対象データ受信処理部６１４２と、を具備する。
【０１３４】
広告対象データ送信要求送信処理部６１４１は、少なくとも広告対象データを自端末装置６１００へ送信することを要求する広告対象データ送信要求を音楽広告サーバ６２００へ送信する処理を行う。ここで広告対象データとは、音楽広告サーバ６２００より配信される広告対象となるデータであり、MP３やAACといった音楽フォーマットで符号化されている広告対象音楽データを少なくとも含む。
【０１３５】
広告対象データ送信要求送信処理部６１４１は、１日のうち予め定められた所定の時刻に広告対象データ送信要求を音楽広告サーバ６２００へ送信する構成としても良いし、１日のうち少なくとも１回、ランダム関数によって求められる時刻に広告対象データ送信要求を音楽広告サーバ６２００へ送信する構成としても良い。
【０１３６】
広告対象データ受信処理部６１４２は、広告対象データ送信要求送信処理部６１４１が送信した広告対象データ送信要求に基づいて音楽広告サーバ６２００より送信される広告対象データを受信する処理を行う。
【０１３７】
広告対象データ記憶処理部６１５０は、広告対象データ受信処理部６１４２で受信された広告対象データを記憶媒体に記憶する処理を行う。
【０１３８】
広告対象データ処理部６１６０は、アラーム設定処理部６１２０で設定されたアラーム時刻に基づいて、サーバ通信処理部６１４０で受信された配信データに対して所定の処理を行う。例えば、広告対象データ処理部６１６０は、アラーム設定処理部６１２０で設定されたアラーム時刻に基づいて、アラーム管理処理部６１３０より通知を受けた場合に、広告対象データ記憶処理部６１５０によって記憶媒体に記憶されている広告対象データを読み出して所定の処理を行う。具体的には、広告対象データ処理部６１６０は、広告対象音楽データ再生開始処理部６１６１と、広告対象音楽データ再生停止処理部６１６２と、を具備する。
【０１３９】
広告対象音楽データ再生開始処理部６１６１は、アラーム設定処理部６１２０で設定されたアラーム時刻に基づいて、広告対象データ記憶処理部６１５０が記憶媒体に広告対象データとして記憶している広告対象音楽データを読み出して再生を開始する処理を行う。具体的には、広告対象音楽データ再生開始処理部６１６１は、記憶媒体より広告対象音楽データを読み出して所定のデコード処理を行うことで広告対象データの再生を開始する。
【０１４０】
広告対象音楽データ再生停止処理部６１６２は、広告対象音楽データ再生開始処理部６１６１が再生を開始した広告対象音楽データの再生を停止する処理を行う。例えば、広告対象音楽データ再生停止処理部６１６２は、操作入力処理部６１１０でユーザより広告対象音楽データに対する再生停止操作が入力された場合や、広告対象音楽データの再生が完了した場合に、当該音楽データの再生を停止する処理を行う。
【０１４１】
次に音楽広告サーバ６２００について説明する。音楽広告サーバ６２００は、広告候補データ受信部６２１０と、広告候補データ記憶部６２２０と、配信要求受信処理部６２３０と、配信登録処理部６２４０と、広告対象データ配信処理部６２５０と、広告対象データ選択処理部６２６０と、を具備する。
【０１４２】
広告候補データ受信処理部６２１０は、音楽広告処理装置６１００のユーザに対して広告する音楽のデータを含む広告候補データを受信する処理を行う。例えば、アーティストは自身が作詞・作曲・編曲・演奏等を行っている音楽の中からより多くの人へ広告したい音楽を広告候補音楽として選択し、当該広告候補音楽を所定のフォーマット形式で圧縮した音楽データを広告候補データとしてPCなど自身の端末装置よりインターネットを介して音楽広告サーバ６２００に送信する。広告候補データ受信処理部６２１０は、当該広告に係る音楽データを含む広告候補データを受信する処理を行う。
【０１４３】
広告候補データ記憶処理部６２２０は、広告候補データ受信部６２１０で受信された広告候補データを記憶媒体に記憶する処理を行う。
【０１４４】
配信要求受信処理部６２３０は、広告候補データをユーザに対して配信することを要求する配信要求を受信する処理を行う。
【０１４５】
配信登録処理部６２４０は、配信要求受信処理部６２３０で受信される配信要求に基づいて、広告候補データ受信処理部６２１０で受信されて広告候補データ記憶処理部６２２０によって記憶媒体に記憶されている広告候補データを音楽広告処理装置１１００への広告対象とする広告対象データとして登録する処理を行う。具体的には、配信登録処理部６２４０は、配信要求に基づいて広告候補データを広告対象データとして配信用データベースに登録する。広告対象データは、少なくとも広告対象となる音楽のデータである広告対象音楽データを含む。
【０１４６】
広告対象データ配信処理部６２５０は、配信登録処理部６２４０によって広告対象データとして登録されているデータを複数の音楽広告処理装置６１００に送信する処理を行う。具体的には、広告対象データ配信処理部６２５０は、広告対象データ送信要求受信処理部６２５１と、広告対象データ送信処理部６２５２と、を具備する。
【０１４７】
広告対象データ送信要求受信処理部６２５１は、複数の音楽広告処理装置６１００よりそれぞれ送信されてくる広告対象データの送信を要求する広告対象データ送信要求を受信する処理を行う。広告対象データ送信処理部６２５２は、広告対象データ送信要求受信処理部６２５１で受信された広告対象データ送信要求に基づいて広告対象データ選択処理部６１６０で選択された広告対象データを当該広告対象データ送信要求の送信元の音楽広告処理装置６１００へ送信する処理を行う。
【０１４８】
広告対象データ選択処理部６１６０は、配信登録処理部６２４０によって登録されている複数の広告対象データの中から、広告対象データ送信要求受信処理部６２５１で受信された広告対象データ送信要求に基づいて、当該広告対象データ送信要求の送信元の音楽広告処理装置６１００に対して配信するデータを選択する処理を行う。
【０１４９】
以上のように、本実施形態６にかかる音楽広告システムにおいて、音楽広告処理装置は、ユーザからのアラーム時刻設定操作に基づいてアラーム時刻を設定する処理を行うアラーム時刻設定処理手段と、外部に配置されているサーバに接続して音楽データを受信する処理を行う音楽データ受信処理手段と、前記設定されたアラーム時刻に基づいて前記音楽データの再生を開始する処理を行う音楽データ再生開始処理手段と、前記再生が開始された音楽データの再生を停止する処理を行う音楽データ再生停止処理手段と、を具備する。また、音楽広告サーバは、アーティストからの配信要求に基づいて、音楽データを含む指定された所定のデータを広告対象データとして登録する処理を行う広告対象データ登録手段と、外部にある音楽広告処理装置からの音楽データ送信要求に基づいて、広告対象データとして登録されている音楽データの中から所定の音楽データを選択する処理を行う音楽データ選択処理手段と、選択された音楽データを送信する処理を行う音楽データ送信処理手段と、を具備する。
【０１５０】
当該構成とすることで、ユーザが設定したアラーム時刻に基づいて、音楽形式の広告データが再生されるため、朝の目覚めの時刻に合わせて広告をユーザに聴覚を通じて提示することが可能となる。
【０１５１】
（実施形態７）
実施形態７にかかる音楽広告システムは、広告配信先となるユーザに関する情報や広告配信元となるアーティストに関する情報などを用いて広告配信先を決定することで、広告効果を高めることを目的とする。以下、図面を参照して詳細に説明する。ただし、上述の実施形態で既に説明している部分については一部説明を省略する。
【０１５２】
図１０は、本実施形態７にかかる音楽広告システムの構成を示すブロック図である。音楽広告システムにおいて、音楽広告処理装置７１００は、装置側ユーザ登録処理部７１１０と、フィードバックデータ取得処理部７１２０を更に具備する。また、サーバ通信処理部６１４０はフィードバック情報送信処理部６１４３を、広告対象データ処理部６１６０はアーティスト関連データ表示処理部６１６３を更に具備する。
【０１５３】
装置側ユーザ登録処理部７１１０は、操作入力処理部６１１０でユーザより入力されるユーザ登録操作に基づいて、ユーザに関する所定の情報をユーザ情報として登録する処理を行う。ユーザ情報としては、ユーザの性別、年齢グループ、居住地域に関する情報などとすることができる。装置側ユーザ登録処理部７１１０は、ユーザ情報を音楽広告サーバ７２００に送信することでサーバ側にユーザ情報を登録し、音楽広告サーバ７２００で発行されるユーザIDを上記ユーザ情報と合わせて記憶媒体に記憶する。
【０１５４】
フィードバックデータ取得処理部７１２０は、広告対象データ処理部６１６０における処理結果に基づいてフィードバックデータを取得する処理を行う。
【０１５５】
フィードバックデータ送信処理部６１４３は、フィードバックデータ取得処理部７１２０で取得されたフィードバックデータを音楽広告サーバ７２００へ送信する処理を行う。
【０１５６】
音楽広告サーバ７２００は、アーティスト情報受信処理部７２１０と、アーティスト登録処理部７２２０と、サーバ側ユーザ登録処理部７２３０と、フィードバックデータ記憶処理部７２４０と、を具備する。なお、広告対象データ配信処理部６２５０は、フィードバックデータ受信処理部６２５３を更に具備する。
【０１５７】
アーティスト情報受信処理部７２１０は、広告対象データとして配信される音楽データにかかるアーティストの情報を受信する処理を行う。アーティスト登録処理部７２２０は、アーティスト情報受信処理部７２１０で受信されたアーティスト情報に基づいて、当該アーティスト情報にかかるアーティストの登録を行う。
【０１５８】
サーバ側ユーザ登録処理部７２３０は、音楽広告処理装置７１００からのユーザ登録要求に基づいてユーザ登録を行う。具体的には、サーバ側ユーザ登録処理部７２３０は、ユーザ登録要求に基づいて新しいユーザIDを発行し、音楽広告処理装置７１００に送信するとともに当該音楽広告処理装置７１００より送信されてくるユーザ情報を当該発行したユーザIDと関連付けて記憶媒体に記憶することでユーザ登録を行う。
【０１５９】
フィードバックデータ受信処理部６２５３は、広告対象データ送信処理部６２５２によって送信された広告対象データに関する音楽広告処理装置７１００側での処理結果に関するフィードバックデータを受信する処理を行う。
【０１６０】
フィードバックデータ記憶処理部７２４０は、フィードバックデータ受信処理部６２５３で受信された各種フィードバックデータを記憶媒体に記憶する処理を行う。
【０１６１】
配信登録処理部６２４０は、登録されているユーザ情報やアーティスト情報、フィードバック情報を用いて複数の広告対象データの中から広告対象データ送信要求の送信元ユーザに対して送信する広告対象データを選択する処理を行う。
【０１６２】
以上のように、本実施形態７にかかる音楽広告システムによれば、ユーザ情報をサーバ側で管理することで配信スケジュールを効率化することが可能となる。すなわち、音楽広告処理装置の数を把握することで、配信要求でアーティスト側から要求されている配信数と整合性を取りながら各音楽広告処理装置に広告対象データを選択して配信することができる。
【０１６３】
（実施形態８）
一般的にユーザは自身が起床したい時刻をアラーム時刻として設定する。仕事や学業を抱える市民は、出社時間や登校時刻が決められており、そこから逆算してアラーム時刻を設定しているため、その時刻から音楽データの再生が数分間に渡って行われるとユーザはじっくり聞くことができず広告比率が落ちてしまうという問題があった。以下、図面を用いて詳細に説明する。ただし、すでに説明している部分については発明の明確化のために一部は説明を省略する。
【０１６４】
図１１は本実施形態８に係る音楽広告処理装置８１００の構成を示すブロック図である。本実施形態８にかかる音楽広告処理装置８１００は、広告対象データ送信要求時刻設定処理部８１１０と、広告対象データ処理時刻設定処理部８１２０と、アラーム音データ記憶処理部８１３０と、アラーム処理部８１４０と、を具備する。
【０１６５】
広告対象データ送信要求時刻設定処理部８１１０は、音楽広告サーバ８２００に対して広告対象データの送信を要求する時刻を設定する処理を行う。例えば、広告対象データ送信要求時刻設定処理部８１１０は、操作入力処理部６１１０で入力されるユーザからのアラーム時刻設定操作で指定されるアラーム時刻に基づいて広告対象データの送信を要求する広告対象データ送信要求時刻を設定する処理を行う。この場合、広告対象データ送信要求時刻設定処理部８１１０は、アラーム設定時刻と現在の時刻の間の時刻をランダムに選択する処理を行い、当該選択された時刻を広告対象データ送信要求時刻として設定する。当該構成とすることでユーザが設定するアラーム時刻以前に音楽広告サーバ８２００に対して広告対象データ送信要求を出すことができるため、アラーム時刻前に広告対象データを受信することができる。
【０１６６】
なお、アラーム時刻直前の時刻が広告対象データ送信要求時刻として選択されると、サーバ間の通信エラー等により間に合わなくなる場合がある。そこで、広告対象データ送信要求時刻設定処理部８１１０は、アラーム設定時刻から所定のオフセット時間だけ遡った時刻と現在の時刻の間の時刻をランダムに選択する処理を行い、当該選択された時刻を広告対象データ送信要求時刻として設定する構成とすると更に良好である。当該オフセット時間としては広告対象音楽データの収録時間を超える時間であることが好ましく、１０分以上のオフセットを取っておくことが好ましい。
【０１６７】
広告対象データ処理時刻設定処理部８１２０は、広告対象データ受信処理部６１４２で受信されて広告対象データ記憶処理部６１５０によって記憶媒体に記憶されている広告対象データに対する処理を行う時刻を設定する処理を行う。例えば、広告対象データ処理時刻設定処理部８１２０は、広告対象データ受信処理部６１４２で受信されて広告対象データ記憶処理部６１５０によって記憶媒体に記憶されている広告対象音楽データの再生を広告対象音楽データ再生開始処理部６１６１が開始する時刻を設定する処理を行う。また、広告対象データ処理時刻設定処理部８１２０は、広告対象データ受信処理部６１４２で受信されて広告対象データ記憶処理部６１５０によって広告対象データとして記憶媒体に記憶されているアーティスト関連データを画面に表示する処理をアーティスト関連データ表示処理部６１６３が開始する時刻を設定する処理を行う。
【０１６８】
例えば、広告対象データ処理時刻設定処理部８１２０は、操作入力処理部６１１０で入力されるユーザからのアラーム時刻設定操作に基づいて、広告対象データに対する処理を行う時刻を設定する処理を行う。広告対象データ処理時刻設定処理部８１２０は、操作入力処理部６１１０で入力されるユーザからのアラーム時刻設定操作で指定されるアラーム時刻から所定の時間遡った時刻を、広告対象データに対する処理を行う時刻として設定する処理を行う。一般的に広告対象データとして配信される音楽データの長さ（収録時間）は５分以下であることが多いと考えられるため、当該アラーム時刻と広告対象データ処理時刻のオフセット時間は５分程度に設定しておくと良い。このように、ユーザが行う操作はアラーム時刻を指定する操作であるため、広告対象データ処理時刻設定処理部８１２０は、当該指定されるアラーム時刻に基づいて広告対象データ処理時刻を求め、当該求めた時刻を広告対象データ処理時刻として設定する。
【０１６９】
広告対象データ処理時刻設定処理部８１２０は、広告対象データ処理部６１６０が広告対象データに対する処理を開始する時刻に該当する。したがって、本明細書では、広告対象データ処理時刻を広告対象データ処理開始時刻と、広告対象データ処理開始時刻設定処理部と、それぞれ称することがある。
【０１７０】
アラーム音データ記憶処理部８１３０は、アラーム音データを記憶媒体に記憶する処理を行う。アラーム音データとしては数秒から数十秒程度のベル等の目覚まし音データなどであると良い。ユーザを目覚めさせるために用いられる音データである。アラーム音データはアラーム時刻に再生が開始される音声メディアデータであるのに対し、広告対象音楽データはアラーム時刻からオフセットを差し引いた広告対象データ処理時刻に再生が開始される音声メディアデータである点が異なる。
【０１７１】
アラーム処理部８１４０は、アラーム設定処理部６１２０によって設定されるアラーム時刻にアラームを処理する。具体的には、アラーム処理部８１４０は、アラーム音データ再生開始処理部８１４１と、アラーム画面表示処理部８１４２と、アラーム音データ再生停止処理部８１４３と、を具備する。
【０１７２】
アラーム音データ再生開始処理部８１４１は、ユーザからのアラーム時刻設定操作に基づいてアラーム設定処理部６１２０によって設定されるアラーム時刻に、アラーム音データ記憶処理部８１３０によって記憶媒体に記憶されているアラーム音データを読みだして再生する処理を行う。
【０１７３】
アラーム画面表示処理部８１４２は、ユーザからのアラーム時刻設定操作に基づいてアラーム設定処理部６１２０によって設定されるアラーム時刻にアラーム画面を表示する処理を行う。図１２は、当該アラーム画面の一例を示している。アラーム画面には、アラーム設定処理部６１２０によって設定されているアラーム時刻、すなわちアラームが鳴り始める現在の時刻を表示する時刻表示８１０１とアラーム音データの再生を停止するアラーム停止ボタン８１０２が配置されている。
【０１７４】
アラーム音データ再生停止処理部８１４３は、アラーム音データ再生開始処理部８１４１によって開始されたアラーム音データの再生を、操作入力処理部６１１０で入力されるアラーム音データ再生停止操作に基づいて停止する処理を行う。例えば、図１２に例示するアラーム画面に配置されるアラーム停止ボタン８１０２に対するクリック操作が入力された場合に、アラーム音データ再生停止操作が入力されたとしてアラーム音データの再生を停止する処理を行う。
【０１７５】
次に、音楽広告処理装置８１００の処理の流れについて説明する。図１３から図１６は、音楽広告処理装置８１００の処理の流れを示すフローチャート図である。図１３は、各種時刻の設定処理の流れを示すフローチャート図である。ユーザからの操作入力を受け付ける操作入力処理部６１１０を介してアラーム設定操作が入力された場合（ステップS８０１）、アラーム設定処理部６１２０は、当該アラーム設定操作で指定される時刻を、アラーム処理を開始するアラーム時刻として設定する処理を行う（ステップS８０２）。アラーム処理を開始するとは、アラーム音データの再生を開始することやアラーム画面の表示を開始することに該当する。
【０１７６】
広告対象データ送信要求時刻設定処理部８１１０は、広告対象データを取得するために広告対象データ送信要求を音楽広告サーバ８２００に送信する時刻である広告対象データ送信要求時刻を設定する処理を行う（ステップS８０３）。例えば、広告対象データ送信要求時刻設定処理部８１１０は、ステップS８０１で入力されたアラーム設定操作で指定される時刻と現在の時刻との間の１つの時刻をランダムに選択し、当該選択した時刻を広告対象データ送信要求時刻として設定する処理を行う。なお、広告対象データ送信要求時刻設定処理部８１１０は、アラーム時刻に依存せず、１日のうち所定の時刻をランダムに選択して広告対象データ送信要求時刻として設定する構成としても良い。
【０１７７】
広告対象データ処理時刻設定処理部８１２０は、広告対象データを処理する時刻である広告対象データ処理時刻を設定する処理を行う（ステップS８０４）。具体的には、広告対象データ処理時刻設定処理部８１２０は、広告対象音楽データの再生を開始する広告対象音楽データ再生開始時刻を設定する処理やアーティスト関連データを画面に表示する処理を開始する時刻であるアーティスト紹介画面表示開始時刻を設定する処理を広告対象データ処理時刻を設定する処理として行う。なお、上述した音楽データ再生開始時刻とアーティスト紹介画面表示開始時刻は共通の時刻として設定されていると良い。
【０１７８】
これらの時刻設定処理が行われることでアラーム管理処理部６１３０に各種処理を呼び出すための通知時刻がセットされる。なお、上述したステップS８０２からステップS８０４は順不同であっても良い。
【０１７９】
図１４は、広告対象データを音楽広告サーバ８２００より取得するための処理の流れを示すフローチャート図である。アラーム管理処理部６１３０は、ステップS８０３で広告対象データ送信要求時刻設定処理部８１１０によって設定された広告対象データ送信要求時刻になった場合（ステップS８１１でYes）、広告対象データ送信要求送信処理部６１４１に対して処理の開始を通知し、広告対象データ送信要求送信処理部６１４１は当該通知を受け取って広告対象データ送信要求を音楽広告サーバ８２００へ送信する処理を行う（ステップS８１２）。
【０１８０】
広告対象データ受信処理部６１４２は、ステップ８１２で送信された広告対象データ送信要求に基づいて音楽広告サーバ８２００より送信される広告対象データを受信する処理を行う（ステップS８１３）。広告対象データ記憶処理部６１５０はステップS８１３で受信された広告対象データを記憶媒体に記憶する処理を行う（ステップS８１４）。この時、広告対象データ記憶処理部６１５０は、処理待ち広告対象データとして当該広告対象データをリストに追加して管理しておくと良い。
【０１８１】
図１５は、広告対象データの処理の流れを示すフローチャート図である。アラーム管理処理部６１３０は、ステップS８０４で広告対象データ処理時刻設定処理部８１２０によって設定された広告対象データ処理時刻になった場合（ステップS８２１でYes）、広告対象データ処理部６１６０に対して処理の開始を通知する。
【０１８２】
広告対象データ処理部６１６０を構成する広告対象音楽データ再生開始処理部６１６１は、広告対象データ処理時刻になった場合に送られる処理開始通知に基づいて、広告対象データ記憶処理部６１５０によって記憶媒体に記憶されている広告対象音楽データを読みだして再生を開始する処理を行う（ステップS８２２）。
【０１８３】
広告対象データ処理部６１６０を構成するアーティスト関連データ表示処理部６１６３は、広告対象データ処理時刻になった場合に送られる処理開始通知に基づいて、広告対象データ記憶処理部６１５０によって記憶媒体に記憶されているアーティスト関連データを読みだして画面に表示する処理を行う（ステップS８２３）。
【０１８４】
ステップS８２２で開始された広告対象音楽データの再生が行われている間に、操作入力処理部６１１０を介して広告対象音楽データ再生停止操作が入力された場合（ステップS８２４でYes）か、広告対象音楽データの再生が完了した場合（ステップS８２５でYes）  広告対象音楽データ再生停止処理部６１６２は、広告対象音楽データの再生を停止する処理を行う（ステップS８２６）。一方、広告対象音楽データ再生停止操作が入力されておらず（ステップS８２４でNo）、広告対象音楽データの再生も完了していない場合（ステップS８２５でNo）、広告対象データ処理部６１６０は広告対象音楽データの再生処理を継続する。
【０１８５】
図１６は、アラーム処理の流れを示すフローチャート図である。アラーム管理処理部６１３０は、ステップS８０２でアラーム設定処理部６１２０によって設定されたアラーム時刻になった場合（ステップS８３１でYes）、アラーム処理部８１４０に対して処理の開始を通知する。
【０１８６】
アラーム処理部８１４０を構成するアラーム音データ再生開始処理部８１４１は、アラーム時刻になった場合に送られる処理開始通知に基づいて、アラーム音記憶処理部８１３０によって記憶媒体に記憶されているアラーム音データを読みだして再生を開始する処理を行う（ステップS８３２）。
【０１８７】
アラーム処理部８１４０を構成するアラーム画面データ表示処理部８１４２は、アラーム時刻になった場合に送られる処理開始通知に基づいて、アラーム画面に表示する処理を行う（ステップS８３３）。
【０１８８】
ステップS８３２で開始されたアラーム音データの再生が行われている間に、操作入力処理部６１１０を介してアラーム音再生停止操作が入力された場合（ステップS８３４でYes）か、アラーム音データの再生が所定の回数完了した場合（ステップS８３５でYes）  アラーム音データ再生停止処理部８１４３は、アラーム音データの再生を停止する処理を行う（ステップS８３６）。一方、アラーム音データ再生停止操作が入力されておらず（ステップS８３４でNo）、アラーム音データの再生も所定の回数完了していない場合（ステップS８３５でNo）、アラーム処理部８１４０はアラーム処理を継続する。
【０１８９】
以上説明したように、本実施形態８にかかる音楽広告処理装置は、アラーム音データを記憶するアラーム音データ記憶手段と、ユーザから入力されるアラーム時刻設定操作に基づいて、アラーム時刻を設定するアラーム時刻設定手段と、広告対象データ処理時刻を設定する広告対象データ処理時刻設定手段と、音楽広告サーバより広告対象データを受信する広告対象データ受信手段と、広告対象データを記憶媒体に記憶する広告対象データ記憶手段と、前記広告対象データ処理時刻に前記記憶媒体に記憶されている広告対象データに対する所定の処理を開始する広告対象データ処理手段と、前記アラーム時刻にアラーム処理を行うアラーム処理手段と、を具備する。
【０１９０】
当該構成とすることで、ユーザが起床したい時刻として設定するアラーム時刻にはアラーム音データが再生される一方で、当該アラーム時刻以前に広告対象音楽データが再生されるため、ユーザが睡眠状態から覚醒状態へ移行する起床前の時間帯でユーザに対して広告対象音楽データを提示することができる。したがって、ユーザがすぐに広告対象データの再生を停止してしまうといったことを減らすことができ、結果として広告効果を高めることができる。
【０１９１】
なお、本実施形態においても広告対象データに対するユーザの反応をフィードバック情報として音楽広告サーバ８２００に送信する構成とすると、音楽広告サーバ８２００でより効率的な広告配信が可能となるため更に良好である。図１７は、当該フィードバック機能を更に具備する音楽広告処理装置８１００の構成を示すブロック図である。図１６と比較して、フィードバックデータ取得処理部７１２０と、広告対象データ自動消去処理部８１５０と、お気に入りアーティスト管理処理部８１６０を更に具備する。また、サーバ通信処理部６１４０は、フィードバックデータ送信処理部６１４３を更に具備する。
【０１９２】
広告対象データ自動消去処理部８１５０は、広告対象データ記憶処理部６１５０が記憶媒体に記憶する広告対象データを所定の基準に基づいて記憶媒体から自動的に消去する処理を行う。広告対象データに含まれる広告対象音楽データは、アーティストの作品であることから永続的に音楽広告処理装置８１００内に記憶されていつでも再生することが可能であると、本来の目的である広告対象音楽データを用いて広告を行い、興味を引いたユーザは別途当該広告対象音楽データを購入するという動作に導くことが難しくなる。そこで、広告対象データ自動消去処理部８１５０は、例えば広告対象データ記憶処理部６１５０が記憶媒体に記憶する広告対象データを所定の期間が経過した場合や所定の回数再生された場合に記憶媒体から自動的に消去する処理を行う。
【０１９３】
お気に入りアーティスト管理処理部８６５０は、操作入力処理部６１１０を介して入力されるお気に入りアーティスト追加操作に基づいて、当該操作で指定されるアーティストをお気に入りアーティストとして登録する処理を行う。例えば、広告対象データを管理するデータベースと、お気に入りアーティストを管理するデータベースの２つのデータベースを用意し、広告対象データ記憶処理部６１５０が広告対象データ用のデータベースに記憶している広告対象データのうち、アーティスト追加操作に係るアーティストの広告対象データをお気に入りアーティスト用のデータベースに複製する処理を行うことでお気に入りアーティスト登録を行う。
【０１９４】
フィードバックデータ取得処理部７１２０は、広告対象音楽データ再生開始・停止時刻取得処理部７１２１と、広告対象音楽データ再生時間取得処理部７１２２と、広告対象音楽再生停止操作入力データ取得処理部７１２３と、お気に入りアーティスト追加・削除データ取得処理部７１２４と、を具備する。
【０１９５】
広告対象音楽データ再生開始・停止時刻取得処理部７１２１は、広告対象音楽データ再生開始処理部６１６１で広告対象音楽データの再生が開始される時刻である広告対象音楽データ再生開始時刻と、広告対象音楽データ再生停止処理部６１６２で広告対象音楽データの再生が停止される時刻である広告対象音楽データ再生停止時刻とを取得する処理を行う。
【０１９６】
広告対象音楽データ再生時間取得処理部７１２２は、広告対象音楽データ再生開始処理部６１６１で広告対象音楽データの再生が開始されてから、広告対象音楽データ再生停止処理部６１６２で広告対象音楽データの再生が停止されるまでの時間を広告対象音楽データ再生時間として取得する処理を行う。
【０１９７】
広告対象音楽データ停止操作入力データ取得処理部７１２３は、操作入力処理部６１１０を介してユーザから広告対象音楽データ停止操作が入力されたことにより、広告対象音楽データ再生停止処理部６１６２で広告対象音楽データの再生が停止されたかどうかを示す広告対象音楽データ停止操作入力データを取得する処理を行う。
【０１９８】
お気に入りアーティスト追加・削除データ取得処理部７１２４は、操作入力処理部６１１０を介してユーザから入力されるお気に入りアーティスト追加操作やお気に入りアーティスト削除操作に基づいてお気に入りアーティストに追加または削除されたことを示すデータを取得する処理を行う。
【０１９９】
フィードバックデータ送信処理部６１４３は、広告対象音楽データ再生開始・停止時刻取得処理部７１２１で取得される広告対象音楽データ再生開始時刻を示すデータや、広告対象音楽データ再生停止時刻を示すデータをフィードバックデータとして音楽広告サーバ８２００に送信する処理を行う。また、フィードバックデータ送信処理部６１４３は、広告対象音楽データ再生時間取得処理部７１２２で取得される広告対象音楽データ再生時間を示すデータをフィードバックデータとして音楽広告サーバ８２００に送信する処理を行う。また、フィードバックデータ送信処理部６１４３は、広告対象音楽データ再生停止操作入力データ取得処理部７１２３で取得される広告対象音楽データ再生停止操作が入力されたことを示すデータまたは、広告対象音楽データ再生停止操作が入力されることなく広告対象音楽データの再生が完了したことを示すデータをフィードバックデータとして音楽広告サーバ８２００に送信する処理を行う。また、フィードバックデータ送信処理部６１４３は、お気に入りアーティスト追加・削除データ取得処理部７１２４で取得されるお気に入りアーティストに追加されたことを示すデータやお気に入りアーティストから削除されたことを示すデータをフィードバックデータとして音楽広告サーバ８２００に送信する処理を行う。
【０２００】
図１８は、フィードバックデータ取得処理部７１２０で取得されてフィードバックデータ送信処理部６１４３より音楽広告サーバ８２００に送信されるフィードバックデータ（フィードバック情報）の一例を示している。フィードバックデータ取得処理部７１２０は、広告対象音楽データの再生が開始された時刻を示す広告対象音楽データ再生開始時刻情報、広告対象音楽データの再生が停止された時刻を示す広告対象音楽データ再生停止時刻情報、広告対象音楽データが再生されていた時刻を示す広告対象音楽データ再生時間情報、広告対象音楽データの再生を停止する広告対象音楽データ再生停止操作がユーザより入力されたかどうかを示す広告対象音楽データ再生停止操作入力情報、広告対象音楽データの再生が収録時間の最後まで完了したかどうかを示す広告対象音楽データ再生完了情報、
お気に入りに追加されたアーティストを識別するお気に入り追加アーティスト情報、お気に入りから削除されたアーティストを識別するお気に入り削除アーティスト情報など、を取得する処理を行っている。なお、お気に入り追加アーティスト情報やお気に入り削除アーティスト情報は、当該追加・削除にかかるアーティストを識別するアーティスト番号を用いることができ、広告対象データに含まれていると良い。
【０２０１】
図１９は、図１７に例示する音楽広告処理装置８１００における広告対象データの処理とフィードバック処理の流れを示すフローチャート図である。アラーム管理処理部６１３０は、図１３に示すステップS８０４において広告対象データ処理時刻設定処理部８１２０によって設定された広告対象データ処理時刻になった場合（ステップS８２１でYes）、広告対象データ処理部６１６０に対して処理の開始を通知する。
【０２０２】
広告対象データ処理部６１６０を構成する広告対象音楽データ再生開始処理部６１６１は、広告対象データ処理時刻になった場合に送られる処理開始通知に基づいて、広告対象データ記憶処理部６１５０によって記憶媒体に記憶されている広告対象音楽データを読みだして再生を開始する処理を行う（ステップS８２２）。
【０２０３】
広告対象音楽データ再生開始・停止時刻取得処理部７１２１は、ステップS８２２で広告対象音楽データ再生開始処理部６１６１が広告対象音楽データを読みだして再生を開始する現在の時刻を広告対象音楽データ再生開始時刻として取得する処理を行う（ステップS８２２１）。
【０２０４】
広告対象データ処理部６１６０を構成するアーティスト関連データ表示処理部６１６３は、広告対象データ処理時刻になった場合に送られる処理開始通知に基づいて、広告対象データ記憶処理部６１５０によって記憶媒体に記憶されているアーティスト関連データを読みだして画面に表示する処理を行う（ステップS８２３）。
【０２０５】
ステップS８２２で開始された広告対象音楽データの再生が行われている間に、操作入力処理部６１１０を介して広告対象音楽データ再生停止操作が入力された場合（ステップS８２４でYes）、広告対象音楽データ再生停止操作入力データ取得処理部７１２２は、広告対象音楽データの再生停止操作がユーザより入力されたことを示すフラグデータ（広告対象音楽データ再生停止操作入力情報）を取得する処理を行う（ステップS８２４１）。
【０２０６】
一方、操作入力処理部６１１０を介して広告対象音楽データ再生停止操作が入力されず（ステップS８２４でNo）、広告対象音楽データの再生が完了した場合（ステップS８２５でYes）、広告対象音楽データ再生停止操作入力データ取得処理部７１２２は、広告対象音楽データの再生が当該音楽データの収録時間の最後まで完了したことを示すフラグデータ（広告対象音楽データ再生完了情報）を取得する処理を行う（ステップS８２５１）。
【０２０７】
ステップS８２４１またはステップS８２５１に続いて、広告対象音楽データ再生停止処理部６１６２は、広告対象音楽データの再生を停止する処理を行う（ステップS８２６）。一方、広告対象音楽データ再生停止操作が入力されておらず（ステップS８２４でNo）、広告対象音楽データの再生も完了していない場合（ステップS８２５でNo）、広告対象データ処理部６１６０は広告対象音楽データの再生処理を継続する。
【０２０８】
広告対象音楽データ再生停止処理部６１６２が広告対象音楽データの再生を停止した時刻で、広告対象音楽データ再生開始・停止時刻取得処理部７１２１は、広告対象音楽データの再生が停止した時刻を示す広告対象音楽データ再生停止時刻情報を取得する処理を行う（ステップS８２６１）。
【０２０９】
広告対象音楽データ再生時間取得処理部７１２１は、ステップS８２２１で取得した再生開始時刻とステップS８２６１で取得した再生停止時刻とに基づいて広告対象音楽データを再生していた時間を示す広告対象音楽データ再生時間情報を取得する処理を行う（ステップS８２６２）。フィードバックデータ送信処理部６１４３は、ステップS８２２１、S８２４１、S８２５１、S８２６１、S８２６２でそれぞれ取得した情報を音楽広告サーバ８２００へ送信する処理を行う（ステップS８２７）。
【０２１０】
当該構成とすることで、より効率的な音楽広告を配信することが可能となる。なお、操作入力処理部６１１０で入力されるユーザからのアラーム設定操作に基づいてアラームを設定するアラーム設定処理部６１２０は、図２０に例示するようにアラーム設定画面表示処理部６１２１と、アラーム時刻設定処理部６１２２と、アラーム音データ設定処理部６１２３と、を具備する構成とすると更に良好である。
【０２１１】
操作入力処理部６１１０が受け付けるユーザからのアラーム設定操作としては、アラーム設定画面表示操作や、アラーム時刻設定操作、アラーム音データ選択操作などがある。アラーム設定画面表示処理部６１２１は、操作入力処理部６１１０でアラーム設定画面をディスプレイに表示させるための操作であるアラーム設定画面表示操作が入力された場合、アラーム設定画面を表示する処理を行う。
【０２１２】
図２１は、当該アラーム設定画面の一例を示している。アラーム設定画面には、アラーム時刻を設定するためのアラーム時刻設定ビュー８１０３と、アラーム音データを選択するためのアラーム音一覧ビュー８１０４と、アラームセットボタン８１０５が配置されている。例えば、アラーム時刻設定ビュー８１０３に対するスワイプ操作によってアラーム用の時刻を選択する操作がアラーム時刻設定操作に、アラーム音一覧ビュー８１０４で表示されているアラーム音の中から１つのアラーム音を選択する操作がアラーム音選択操作にそれぞれ対応する。アラーム時刻とアラーム音データがそれぞれ選択された状態でアラームセットボタン８１０５がクリックされることでアラーム設定が完了する。
【０２１３】
アラーム時刻設定処理部６１２２は、アラーム時刻を設定する処理を行う。具体的には、アラーム時刻設定処理部６１２２は、操作入力処理部６１１０で入力されたアラーム時刻設定操作に基づいてアラーム音データの再生を開始する時刻であるアラーム時刻を設定する処理を行う。
【０２１４】
アラーム音データ選択処理部６１２３は、アラーム時刻設定が設定するアラーム時刻に再生するアラーム音データを選択する処理を行う。具体的には、アラーム音データ選択処理部６１２３は、操作入力処理部６１１０で入力されたアラーム音選択操作に基づいてアラーム時刻に再生するアラーム音データを選択する処理を行う。
【０２１５】
当該構成とすることでGUIを介してアラーム時刻やアラーム音を容易に選択することが可能となる。
【０２１６】
（実施形態９）
実施形態８ではユーザが設定したアラーム時刻より前の段階から広告対象音楽データの再生を開始することを特徴としている。しかしながら、広告対象音楽データの収録時間は異なるため、アラーム時刻より前の画一的な時刻を広告対象音楽データの再生開始時刻として設定すると、広告対象音楽データの再生が完了してからアラーム音データの再生が開始されるまでに広告対象音楽データの収録時間毎に異なる間隔が空いてしまうという問題が発生していた。本実施形態９に係る音楽広告処理装置では当該問題を解決することを特徴とする。以下、図面を参照して詳細に説明する。ただし既に説明した部分については発明の明確化のため説明を一部省略する。
【０２１７】
図２２は、本実施形態９に係る音楽広告処理装置９１００の構成を示すブロック図である。音楽広告処理装置９１００は、広告対象音楽データ収録時間取得処理部９１１０と、広告対象データ処理時刻算出処理部９１２０と、を更に具備する。
【０２１８】
広告対象音楽データ収録時間取得処理部９１１０は、広告対象データ受信処理部６１４２で受信されて広告対象データ記憶処理部６１５０で記憶媒体に記憶される広告対象音楽データの収録時間を取得する処理を行う。ここで収録時間とは、広告対象音楽データの再生開始から再生完了までの時間を指す。広告対象音楽データ収録時間取得処理部９１１０は、広告対象データ受信処理部６１４２で受信されて広告対象データ記憶処理部６１５０で記憶媒体に記憶される広告対象音楽データの収録時間を算出することで広告対象音楽データの収録時間を取得しても良い。また、広告対象データ受信処理部６１４２は、広告対象データとして広告対象音楽データと共に当該広告対象音楽データの収録時間を示すデータを合わせて受信し、広告対象音楽データ収録時間取得処理部９１１０は、当該広告対象音楽データの収録時間を示すデータを参照することで当該収録時間を取得しても良い。
【０２１９】
広告対象データ処理時刻算出処理部９１２０は、広告対象音楽データ収録時間取得処理部９１１０で取得される広告対象音楽データの収録時間とアラーム設定処理部６１２０で設定されるアラーム時刻とに基づいて広告対象データを処理する時刻である広告対象データ処理時刻を算出する処理を行う。例えば広告対象データ処理時刻算出処理部９１２０は、アラーム設定処理部６１２０で設定されるアラーム時刻から広告対象音楽データ収録時間取得処理部９１１０で取得される広告対象音楽データの収録時間を差し引いた時刻を広告対象データ処理時刻として算出する。広告対象データ処理時刻設定処理部８１２０は、広告対象データ処理時刻算出処理部９１２０で算出された広告対象データ処理時刻をアラーム管理処理部６１３０が広告対象データ処理部６１６０へ通知する広告対象データ処理時刻として設定する処理を行う。
【０２２０】
図２３は、本実施形態９に係るアラーム設定処理の流れを示すフローチャート図である。操作入力処理部６１１０でアラーム音データの再生時刻を設定するアラーム時刻設定操作が入力された場合（ステップS９０１でYes）、アラーム設定処理部６１２０は、アラーム音データの再生を開始するアラーム時刻を設定する処理を行う（ステップS９０２）。広告対象データ送信要求時刻設定処理部８１１０は、ステップS９０１で設定されたアラーム時刻に基づいて広告対象データ送信要求送信処理部６１４１が外部の音楽広告サーバに対して広告対象データの配信を要求する時刻である広告対象データ送信要求時刻を設定する処理を行う（ステップS９０３）。図２３のフローでは、図１３のフローと比較して広告対象データ処理時刻がアラーム設定操作に基づいて直ちに設定されない点が異なる。
【０２２１】
図２４は、広告対象データの処理開始時刻の設定処理の流れを示すフローチャート図である。広告対象データ送信要求送信処理部６１４１は、広告対象データ送信要求時刻になった場合（ステップS９１１でYes）、外部の音楽広告サーバに対して広告対象データ送信要求を送信する処理を行う（ステップS９１２）。広告対象データ記憶処理部６１５０は、ステップS９１２のリクエストに基づいて配信される広告対象データを記憶媒体に記憶する処理を行う（ステップS９１３）。
【０２２２】
広告対象音声データ収録時間取得処理部９１１０は、ステップS９１３で受信されて記憶媒体に記憶される広告対象データに含まれている広告対象音楽データの収録時間を取得する処理を行う（ステップS９１４）。広告対象データ処理時刻算出処理部９１２０は、ステップS９０２で設定されたアラーム時刻を取得し（ステップS９１５）、当該ステップS９１５で取得したアラーム時刻とステップS９１４で取得された収録時間とに基づいて広告対象データの処理を開始する時刻を算出する処理を行う（ステップS９１６）。広告対象データ処理時刻設定処理部８１２０は、ステップS９１６で算出された時刻を広告対象データ処理時刻として設定する処理を行う（ステップS９１７）。当該設定された広告対象データ処理時刻にアラーム管理処理部６１３０より広告対象データ処理部６１６０へ所定の通知が行われ、広告対象データ処理部６１６０は、ステップS９１３で記憶媒体に記憶されている広告対象データを読みだして再生や表示といった所定の処理を行う。
【０２２３】
以上のように本実施形態９に係る音楽広告処理装置によれば、広告対象データ受信処理部６１４２が広告対象データを受信した後で、当該広告対象データに含まれる広告対象音楽データの収録時間とアラーム時刻とに基づいて広告対象データ処理時刻を設定する処理を行う。当該構成によれば広告対象音楽データの再生を開始する時刻をアラーム時刻との関係においてより適切に設定することが可能となる。
【０２２４】
なお、本実施形態９は図２５に示すように広告対象データ処理アラーム選択処理部９１３０を具備する構成とするとアラーム音データの再生と広告対象音楽データの再生の自由度が上がるため更に良好である。図２５においてアラーム設定処理部６１２０は、操作入力処理部６１１０で入力されるアラーム設定操作に基づいて複数のアラームを設定する処理を行う。したがってアラーム管理処理部６１３０は、アラーム設定処理部６１１０が設定する複数のアラーム時刻にそれぞれアラーム処理部８１４０へ対応するアラームの処理開始に関する通知を行う。
【０２２５】
広告対象データ処理アラーム選択処理部９１３０は、アラーム設定処理部６１２０が設定する複数のアラームの中から広告対象データの処理に係るアラームを選択する処理を行う。例えば、ユーザは２度寝などを防ぐため、複数のアラームをセットしている場合に各アラーム毎に当該アラーム時刻の前から広告対象データの再生を行うと広告対象音楽データを何度も聞くことになることから好ましくない場合がある。そこで、広告対象データ処理アラーム選択処理部９１３０は、複数のアラームの中から最もアラーム時刻が早いアラームを広告対象データの処理に係るアラームとして選択する。また、ユーザはちょっとした要件を知らせるためにアラームをセットする場合があるが、このような場合に広告対象データが再生されると好ましくない場合がある。そこで、広告対象データ処理アラーム選択処理部９１３０は、朝の５時から朝の９時までなど所定の時間帯にアラーム時刻が設定されているアラームを広告対象データの処理を行うアラームとして選択する処理を行う。
【０２２６】
図２６は、図２５に示す広告音楽処理装置９１００の広告対象データ処理時刻の設定処理の流れを示すフローチャート図である。広告対象音楽データ収録時間取得処理部９１１０は、広告対象音楽データの長さ（収録時間）を取得し（ステップS９１４）、広告対象データ処理アラーム選択処理部９１３０は、ステップS９０２で設定されている複数のアラームの中から当該広告対象音楽データの再生に係るアラームを選択する処理を行う（ステップS９１４１）。広告対象データ処理時刻算出処理部９１２０は、ステップS９１４１で選択されたアラームのアラーム時刻を取得し（ステップS９１５）、当該取得したアラーム時刻とステップS９１４で取得した収録時間とに基づいて広告対象データの処理を開始する広告対象データ処理時刻を算出する（ステップS９１６）。
【０２２７】
当該構成とすることで睡眠状態にあるユーザを覚醒状態へ移行させる契機として広告対象音楽データの再生を行い、その他の目的のアラームに対しては広告対象音楽データの再生を行わないようにすることができるため、ユーザを過度に束縛することなく音楽という視覚による広告が難しい財の広告を効率的に行うことができる。
【０２２８】
なお、どのアラームを広告対象音楽データの再生と関連づけるかはユーザが指定する構成であっても良い。すなわち、広告対象データ処理アラーム選択処理部９１３０は、操作入力処理部６１１０で入力される広告対象データの処理に係るアラームを指定する広告対象データ処理アラーム指定操作に基づいて指定されるアラームを選択し、広告対象データ処理時刻算出処理部９１２０が、当該選択されたアラームのアラーム時刻に基づいて広告対象データ処理時刻を算出する構成としても良い。
【０２２９】
以上説明したように、本実施形態９にかかる音楽広告処理装置は、ユーザからのアラーム時刻設定操作に基づいてアラーム時刻を設定する処理を行うアラーム時刻設定処理手段と、外部サーバに接続して音楽データを受信する音楽データ受信手段と、前記設定されたアラーム時刻と前記音楽データの収録時間とに基づいて求まる時刻に前記音楽データの再生を開始する処理を行う音楽データ再生開始処理手段と、前記設定されたアラーム時刻にアラーム音データの再生を開始する処理を行うアラーム音データ再生開始処理手段と、前記音楽データの再生を停止する処理を行う音楽データ再生停止処理手段と、前記アラーム音データの再生を停止する処理を行うアラーム音データ再生停止処理手段とを具備する。当該構成とすることで、例えばアラーム時刻までに配信された音楽データの再生が完了するように当該音楽データの長さに応じてアラーム時刻よりも前の時刻から音楽データの再生を開始し、ユーザが自らの意思で設定したアラーム時刻には目覚まし用の音データとしてアプリケーションインストールの時刻で記憶媒体に記憶されるアラーム音データの再生を開始することが可能となる。
【０２３０】
（実施形態１０）
図２７は本実施形態１０に係る音楽再生装置１００の構成を示すブロック図である。音楽再生装置１００は、アラーム時刻設定処理部１０１と、音楽データ受信処理部１０２と、音楽データ再生開始処理部１０３と、音楽データ再生停止処理部１０４と、を具備する。音楽再生装置１００はユーザが所有する装置であり、３G回線、４G回線といった移動体無線通信網やWIFIと言った無線通信網を経由して外部サーバと通信可能なスマートフォンやタブレットなどの携帯型端末装置であることが好ましい。
【０２３１】
アラーム時刻設定処理部１０１は、ユーザからのアラーム時刻設定操作に基づいてアラーム時刻を設定する処理を行う。例えば、アラーム時刻設定処理部１０１は、タッチパッドなどのGUIを介して入力されるアラーム時刻設定操作に基づいて、ユーザより指定された時刻に第１種ペンディングインテントが通知されるようにアラームマネージャーを設定することでアラーム時刻を設定する。
【０２３２】
音楽データ受信処理部１０２は、外部サーバに接続して音楽データを受信する処理を行う。例えば、音楽データ受信処理部１０２は、予め指定されている音楽配信用の外部サーバに対してHTTPのGETリクエストを送信し、当該リクエストに基づいて外部サーバより配信される音楽データを受信する。
【０２３３】
音楽データ再生開始処理部１０３は、アラーム時刻設定処理部１０１で設定されたアラーム時刻に基づいて、音楽データ受信処理部１０２で受信された音楽データの再生を開始する処理を行う。例えば、音楽データ再生開始処理部１０３は、アラーム時刻設定処理部１０１で設定されたアラーム時刻に通知される第１種ペンディングインテントをキャッチし、音楽データ受信処理部１０２で受信された音楽データをデータソースとして音楽再生装置１００が具備するMediaPlayerのstartメソッドを実行することで、音楽データの再生を開始する。
【０２３４】
音楽データ再生停止処理部１０４は、音楽データの再生を停止する処理を行う。例えば、音楽データ再生停止処理部１０４は、ユーザより音楽データの再生停止操作がGUIを介して入力された場合や音楽データの再生が当該音楽データの収録時間の最後まで完了した場合に、MediaPlayerのstopメソッドを実行することで音楽データの再生を停止する。
【０２３５】
当該構成とすることで、ユーザが所定の時刻にセットするアラームにひも付けて外部サーバより受信する音楽データを再生することができる。なお、本実施形態１０に係る音楽再生装置１００は図２８に例示するようにユーザ情報登録処理部１０５を更に具備すると更に良好である。
【０２３６】
ユーザ情報登録処理部１０５は、少なくとも前記ユーザの性別、年齢、年齢グループ、居住地域のいずれかに関連する情報をユーザ情報として登録する処理を行う。音楽データ受信処理部１０２は、ユーザ情報登録処理部１０５で登録されたユーザ情報に基づいて、上記外部サーバで選択される音楽データを受信する処理を行う。当該構成とすることで、ユーザの属性情報に応じた音楽が選択されて配信されてくるため、当初の目的によりかなった音楽データを受信することができる。
【０２３７】
なお、本実施形態１０に係る音楽再生装置１００は図２９に例示するようにサーバ接続時刻設定処理部１０６を更に具備すると更に良好である。サーバ接続時刻設定処理部１０６は、アラーム時刻設定処理部１０１が設定するアラーム時刻に基づいて、外部サーバに接続する時刻を設定する処理を行う。例えば、サーバ接続時刻設定処理部１０６は、ユーザからのアラーム時刻設定操作に基づいて設定されるアラーム時刻と現在の時刻との間の所定の時刻を外部サーバに接続するサーバ接続時刻として設定する。当該構成とすることで、アラーム時刻以前に音楽データを受信しておくことが可能となるため、画一的に定められた時刻にサーバに接続する場合と比較して、音楽データの受信漏れを防ぐことができる。なお、サーバ接続時刻設定処理部１０６はアラーム時刻に基づいてサーバに接続するタイミングを設定するものであるため、本明細書ではサーバ接続タイミング設定処理部と称することがある。
【０２３８】
なお、本実施形態１０に係る音楽再生装置１００は図３０に例示するように音楽データ再生時刻設定処理部１０７と、アラーム音データ再生開始処理部１０８と、アラーム音データ再生停止処理部１０９と、を更に具備すると更に良好である。
【０２３９】
音楽データ再生時刻設定処理部１０７は、アラーム時刻設定処理部１０１が設定するアラーム時刻から所定の時間前の時刻を音楽データ再生時刻として設定する処理を行う。例えば、音楽データ再生時刻設定処理部１０７は、アラーム時刻設定処理部１０１が設定するアラーム時刻から所定の時間遡った時刻に第２種ペンディングインテントが通知されるようにアラームマネージャーを設定することでアラーム時刻を設定する。音楽データ再生開始処理部１０３は、音楽データ再生時刻設定処理部１０７で設定された時刻に通知される第２種ペンディングインテントをキャッチした場合に、音楽データ受信処理部１０２で受信された音楽データの再生を開始する。なお、音楽データ再生時刻設定処理部１０７はアラーム時刻設定処理部１０１が設定するアラーム時刻に基づいて音楽データの再生を開始するタイミングを設定する処理を行うため、本明細書では音楽データ再生開始タイミング設定処理部と称することがある。
【０２４０】
アラーム音データ再生開始処理部１０８は、アラーム時刻設定処理部１０１が設定するアラーム時刻にアラーム音データの再生を開始する処理を行う。例えば、アラーム音データ再生開始処理部１０８は、アラーム時刻設定処理部１０１で設定されたアラーム時刻に通知される第１種ペンディングインテントをキャッチした場合に、上記音楽データとは異なるアラーム音データをデータソースとして音楽再生装置１００が具備するMediaPlayerのstartメソッドを実行することで、アラーム音データの再生を開始する。アラーム音データはアラーム設定操作に基づくタイミングで受信される音楽データとは異なり、アプリケーションのインストール時に記憶媒体に予め記憶される音声メディアデータであるとよい。当該アプリケーションのインストールは、ユーザからのアプリケーションダウンロード操作に基づいて上記音楽配信用の外部サーバとは異なるアプリケーション配信用の外部サーバより受信された上で装置内にインストールされる構成とすると良い。
【０２４１】
アラーム音データ再生停止処理部１０９は、アラーム音データの再生を停止する処理を行う。例えば、アラーム音データ再生停止処理部１０９はGUIを介して入力されるアラーム音データ再生停止操作に基づいてMediaPlayerのstopメソッドを実行することでアラーム音データの再生を停止する。また、  アラーム音データ再生停止処理部１０９は、アラーム音データの再生が所定の回数完了した時点でアラーム音データの再生を停止する構成を備えると更に良好である。
【０２４２】
なお、本実施形態１０に係る音楽再生装置１００は図３１に例示するように音楽データ記憶処理部１１０を更に具備すると更に良好である。音楽データ記憶処理部１１０は、音楽データ受信処理部１０２が受信した音楽データを記憶媒体に記憶する処理を行う。この時、音楽データ再生時刻設定処理部１０７は、アラーム時刻設定処理部１０１がユーザからのアラーム時刻設定操作に基づいて設定しているアラーム時刻と、音楽データ記憶処理部１１０が記憶媒体に記憶する音楽データの収録時間とに基づいて当該音楽データの再生を開始する時刻である音楽データ再生開始時刻を設定する処理を行う構成とすると、より適切な時刻に音楽データの再生を開始できるため更に良好である。
【０２４３】
ここで、音楽データ記憶処理部１１０は、音楽データ受信処理部１０２が受信した音楽データを所定の期間に渡って記憶媒体に記憶する構成とすると更に良好である。音楽データは画像等のメディアデータと比較して容量が大きいため、永続的に記憶媒体に記憶しておくと記憶媒体の容量を圧迫するためである。この場合、音楽データ記憶処理部１１０は、記憶媒体に記憶してから所定の期間が経過した音楽データを削除する処理を行う。なお、ユーザからのリスト登録操作に基づいて、当該リスト登録操作に係る音楽データに関しては当該所定の期間が経過しても記憶媒体から削除しない構成とすると更に良好である。
【０２４４】
なお、本実施形態１０に係る音楽再生装置１００は図３２に例示するように音楽データ関連アラーム時刻取得処理部１１１を更に具備すると更に良好である。この場合、アラーム時刻設定処理部１０１は、ユーザからの複数のアラーム時刻設定操作に基づいて複数のアラーム時刻を設定する処理を行う。
【０２４５】
音楽データ関連アラーム時刻取得処理部１１１は、アラーム時刻設定処理部１０１が設定している複数のアラーム時刻の中から、音楽データ受信処理部１０２で受信される音楽データの再生に関連するアラーム時刻を取得する処理を行う。音楽データ再生時刻設定処理部１０７は、アラーム時刻設定処理部１０１が設定する複数のアラーム時刻の中から音楽データ関連アラーム時刻取得処理部１１１で取得されたアラーム時刻に基づいてアラーム受信処理部１０２で受信された音楽データの再生を開始する時刻を設定する処理を行う。当該構成とすることで複数のアラーム時刻が設定されたとしても、音楽データと関連付けられるアラーム時刻を選択して音楽データを再生することができるため過度に音楽データが再生されることを防ぐことができる。
【０２４６】
なお、ユーザからの複数のアラーム時刻設定操作に基づいて設定されている複数のアラーム時刻の中から音楽データ関連アラーム時刻取得処理部１１１が所定のアラーム時刻を選択する条件としては、例えばこれらのアラーム時刻の中で最も早い時刻に設定されているアラーム時刻を選択する構成とすると良い。また、音楽データ関連アラーム時刻取得処理部１１１は、ユーザからの複数のアラーム時刻設定操作に基づいて設定されている複数のアラーム時刻の中から、所定の時間帯の時刻に設定されているアラーム時刻を選択して取得する構成とすると更に良好である。すなわち、音楽データ関連アラーム時刻取得処理部１１１は、第１の時刻から第２の時刻の間の時刻に設定されているアラームを選択し、当該選択したアラームのアラーム時刻を取得する処理を行うと良い。また例えば、音楽データ関連アラーム時刻取得処理部１１１は、ユーザからの複数のアラーム時刻設定操作に基づいて設定されている複数のアラーム時刻のうち、第１の時刻から第２の時刻の間の時刻であって最も早い時刻に設定されているアラーム時刻を取得する処理を行うと良い。
【０２４７】
なお、本実施形態１０に係る音楽再生装置１００は図３３に例示するようにフィードバック情報生成処理部１１２と、フィードバック情報送信処理部１１３とを更に具備すると更に良好である。
【０２４８】
フィードバック情報生成処理部１１２は、音楽データ再生開始処理部１０３で音楽データの再生が開始された時刻及び音楽データ再生停止処理部１０４で当該音楽データの再生が停止された時刻、音楽データ再生開始処理部１０３で音楽データの再生が開始されてから音楽データ再生停止処理部１０４で停止されるまでの時間、ユーザからの音楽データ再生停止操作に基づいて音楽データ再生停止処理部１０４において当該音楽データの再生が停止されたことを示す情報、当該音楽データの収録時間の最後まで前記音楽データの再生が行われたことを示す情報、の少なくとも１つの情報をフィードバック情報として生成する処理を行う。
【０２４９】
フィードバック情報送信処理部１１３は、フィードバック情報生成処理部１１２で生成されるフィードバック情報を外部サーバに送信する処理を行う。すなわち、フィードバック情報送信処理部１１３は、当該音楽データの再生が開始された時刻及び当該音楽データの再生が停止された時刻、当該音楽データの再生が開始されてから停止されるまでの時間、ユーザからの音楽データ再生停止操作に基づいて当該音楽データの再生が停止されたことを示す情報、当該音楽データの収録時間の最後まで前記音楽データの再生が行われたことを示す情報、の少なくとも１つの情報をフィードバック情報として音楽配信サーバに送信する処理を行う。当該構成とすることで音楽データ受信処理部１０２は、当該フィードバック情報を利用して外部サーバより配信される音楽データを受信することが可能になるため、より目的に叶った音楽データを受信することができる。
【０２５０】
なお、上述した各種機能は所定のプログラムを情報処理装置等のハードウェアで実行させることで実現される構成とすることが可能である。この場合、音楽データ処理プログラムは、ユーザからのアラーム時刻設定操作に基づいてアラーム時刻を設定するステップと、  外部サーバに接続して音楽データを受信するステップと、前記設定されたアラーム時刻に基づいて前記音楽データの再生を開始するステップと、前記音楽データの再生を停止するステップと、を情報処理装置に実行させる。
【０２５１】
また、当該音楽データ処理プログラムは、少なくとも前記ユーザの性別、年齢、年齢グループ、居住地域のいずれかに関連する情報をユーザ情報として登録するステップを更に情報処理装置に実行させると更に良好である。この場合、当該音楽データ処理プログラムは、前記登録された前記ユーザ情報に基づいて前記外部サーバで選択される音楽データを受信するステップを情報処理装置に実行させることになる。
【０２５２】
また、当該音楽データ処理プログラムは、前記アラーム時刻に基づいて、前記外部サーバに接続する時刻を設定するステップを更に情報処理装置に実行させると更に良好である。この場合、当該音楽データ処理プログラムは、当該設定されるサーバ接続時刻で前記外部サーバに接続して前記音楽データを受信することになる。
【０２５３】
また、当該音楽データ処理プログラムは、前記アラーム時刻設定操作に基づいて、前記アラーム時刻と現在の時刻との間の所定の時刻を前記外部サーバに接続する時刻として設定するステップを情報処理装置に更に実行させる構成とすると更に良好である。
【０２５４】
また、当該音楽データ処理プログラムは、前記アラーム時刻から所定の時間前の時刻を音楽データ再生時刻として設定するステップと、前記アラーム時刻にアラーム音データの再生を開始するステップと、前記アラーム音データの再生を停止するステップをを情報処理装置に更に実行させる構成とすると更に良好である。この場合、当該音楽データ処理プログラムは、前記設定される前記音楽データ再生時刻に前記音楽データの再生を開始するステップを情報処理装置に実行させることになる。
【０２５５】
また、当該音楽データ処理プログラムは、受信した音楽データを記憶媒体に記憶するステップを更に情報処理装置に実行させる構成とすると更に良好である。この場合、当該音楽データ処理プログラムは、前記ユーザからのアラーム時刻設定操作に基づいて設定しているアラーム時刻と、前記音楽データの収録時間とに基づいて前記音楽データの再生を開始する時刻である前記音楽データ再生開始時刻を設定するステップを情報処理装置に実行させると更に良好である。
【０２５６】
また、当該音楽データ処理プログラムは、ユーザからの複数のアラーム時刻設定操作に基づいて複数のアラーム時刻を設定するステップと、前記複数のアラーム時刻の中から前記音楽データの再生に関連するアラーム時刻を取得するステップを更に情報処理装置へ実行させる構成とすると更に良好である。この場合、当該音楽データ処理プログラムは、前記設定された複数のアラーム時刻の中から前記取得されたアラーム時刻に基づいて前記音楽データの再生を開始する時刻を設定するステップを情報処理装置へ実行させると更に良好である。
【０２５７】
また、当該音楽データ処理プログラムは、前記音楽データの再生が開始された時刻及び前記音楽データの再生が停止された時刻、前記音楽データの再生が開始されてから停止されるまでの時間、ユーザからの音楽データ再生停止操作に基づいて前記音楽データの再生が停止されたことを示す情報、前記音楽データの収録時間の最後まで前記音楽データの再生が行われたことを示す情報、の少なくとも１つの情報をフィードバック情報として前記外部サーバに送信するステップを情報処理装置に更に実行させると更に良好である。
【０２５８】
この場合、本実施形態１０に係る音楽再生装置１００は図３４に例示する流れで情報を処理していくと良い。音楽再生装置１００が備えるOS（Operating System）は、ユーザからのアプリケーションダウンロード指示操作に基づいてアプリケーション配信サーバよりアラーム音データを含むアプリケーションをダウンロードして装置内の記憶媒体にインストールすることでアラーム音データや上述したプログラムを当該記憶媒体に記憶する処理を行う（ステップS１０１）。
【０２５９】
ユーザ情報登録処理部１０５は、GUIを介してユーザから入力されるユーザ情報登録操作に基づいて、少なくとも前記ユーザの性別、年齢、年齢グループ、居住地域のいずれかに関連する情報をユーザ情報として登録する処理を行う（ステップS１０２）。アラーム時刻設定処理部１０１は、GUIを介してユーザから入力されるアラーム時刻設定操作に基づいてアラーム時刻を設定する処理を行う（ステップS１０３）。ここで、アラーム時刻設定処理部１０１はアラーム時刻設定操作毎に対応する複数のアラーム時刻を設定する処理を行うと良い。
【０２６０】
サーバ接続時刻設定処理部１０６は、前記アラーム時刻設定操作に基づいて、前記アラーム時刻と現在の時刻との間の所定の時刻を前記外部サーバに接続する時刻として設定する処理を行う（ステップS１０４）。音楽データ受信処理部１０２は、ステップS１０４で設定される時刻に外部サーバに接続して音楽データを受信する処理を行う（ステップS１０５）。音楽データ記憶処理部１１０は、ステップS１０５で受信された音楽データを装置内の記憶媒体に記憶する処理を行う（ステップS１０６）。
【０２６１】
音楽データ関連アラーム時刻取得処理部１１１は、ステップS１０３で設定される複数のアラーム時刻の中からステップS１０６で記憶される音楽データの再生に係るアラーム時刻を取得する処理を行う（ステップS１０７）。音楽データ再生時刻設定処理部１０７は、ステップS１０７で取得されたアラーム時刻に基づいて、ステップS１０６で記憶媒体に記憶されている音楽データの再生に係る時刻を設定する処理を行う（ステップS１０８）。例えば、音楽データ再生時刻設定処理部１０７は、ステップS１０７で取得されたアラーム時刻から、ステップS１０６で記憶媒体に記憶された音楽データの収録時間に基づく所定の時間遡った時刻を音楽データの再生を開始する時刻として設定する処理を行う。
【０２６２】
音楽データ再生開始処理部１０３は、ステップS１０８で設定された時刻にステップS１０６で記憶媒体に記憶されている音楽データを読み出し、再生を開始する処理を行う（ステップS１０９）。音楽データ再生停止処理部１０４は、ステップS１０９で開始された音楽データの再生を停止する処理を行う（ステップS１１０）。例えば、音楽データ再生停止処理部１０４は、GUIを介して入力される音楽データ再生停止操作に基づいて当該音楽データの再生を停止する処理を行う。
【０２６３】
ステップS１０８においてアラーム時刻から音楽データの収録時間以上遡った時刻を音楽データ再生時刻に設定しているため、ステップS１１０の後にアラーム時刻が到来する。そこで、アラーム音データ再生開始処理部１０８は、ステップS１０３で設定されたアラーム時刻にステップS１０１で記憶媒体に記憶されているアラーム音データを読み出し、当該アラーム音データの再生を開始する処理を行う（ステップS１１１）。アラーム音データ再生停止処理部１０９は、ステップS１１１で開始された音楽データの再生を停止する処理を行う（ステップS１１２）。
【０２６４】
フィードバック情報生成処理部１１２は、ステップS１０９で音楽データの再生が開始された時刻及びステップS１１０で前記音楽データの再生が停止された時刻、前記音楽データの再生が開始されてから停止されるまでの時間、ユーザからの音楽データ再生停止操作に基づいて前記音楽データの再生が停止されたことを示す情報、前記音楽データの収録時間の最後まで前記音楽データの再生が行われたことを示す情報、の少なくとも１つの情報をフィードバック情報として生成する処理を行う（ステップS１１３）。フィードバック情報送信処理部１１３は、ステップS１１３で生成されたフィードバック情報を例えば次の音楽データの配信を要求するサーバ接続タイミングなどに合わせて音楽配信に係る外部サーバへ送信する処理を行う（ステップS１１４）。
【０２６５】
当該構成とすることでユーザが朝起きるために設定するアラーム時刻に関連付けて広告用の音楽データを再生することができるため、ユーザに過度の負担をかけることなく音楽を広告することができる。なぜならば、睡眠状態から覚醒状態へ移行させるためにユーザは外部からの刺激を要求しており、当該刺激として広告用の音楽データを再生することができるためである。ユーザが仕事等の作業を行っている場合に広告用の音楽データを再生すると、聴覚が情報を遮断できないといった特性を持つことからユーザが行うべき作業を阻害してしまうのに対し、目覚めるタイミングはユーザは外部からの刺激を次々に入力して自身の脳を睡眠状態から覚醒状態へ移行させることがユーザが行うべき作業そのものであるため、ユーザの作業を促進させる方向に広告用音楽が機能する。したがって、ユーザに負担を過度のかけることなく視覚では有体物の製品等と比較して広告効果が低い音楽を聴覚を通じて広告することが可能となる。
【０２６６】
本実施形態１０に係る音楽再生装置ではユーザの時間価値が低い目覚めの時間帯に広告として音楽データを配信することで広告コストを下げている。しかしながら、ユーザからすれば、時間価値が低いとはいえ自身が保有するリソースである時間の一部を奪われていることにはかわりない。そこで、ユーザからリソースを奪う代償をユーザに与えることでユーザの満足度を維持する構成とすると更に良好である。
【０２６７】
図３５は、本実施形態１０の別形態に係る音楽再生装置１００の構成を示すブロック図である。音楽再生装置１００は、ポイント付与処理部１１４を更に具備する。ポイント付与処理部１１４は、付与ポイント算出処理部１１５と、ポイント更新処理部１１６と、を備える。
【０２６８】
ポイント付与処理部１１４は、音楽データ受信処理部１０２で受信されて音楽データ記憶処理部１１０によって記憶媒体に記憶されている音楽データを、ユーザからのアラーム時刻設定操作に基づいて決定されるアラーム時刻に付随して決定される音楽データ再生時刻に、音楽データ再生開始処理部１０３がユーザからの音楽データ再生操作を受けることなく自動的に記憶媒体から読み出して再生を開始する場合に、所定のポイントをユーザに付与する処理を行う。
【０２６９】
付与ポイント算出処理部１１５は、音楽データ再生開始処理部１０３が自動的に開始する音楽データの再生に基づいて、ユーザに付与するポイントを算出する処理を行う。例えば、付与ポイント算出処理部１１５は、音楽データ受信処理部１０２で受信されて音楽データ記憶処理部１１０によって記憶媒体に記憶されている音楽データを、音楽データ再生開始処理部１０３がユーザからの音楽データ再生操作を受けることなく自動的に記憶媒体から読み出して再生を開始してから音楽データ再生停止処理部１０４が音楽データの再生を停止するまでの時間に基づいてユーザに付与するポイントを算出する処理を行う。長い時間音楽データが再生されていた場合は、それだけユーザのリソースを多く消費したとして多いポイントを付与する。また、付与ポイント算出処理部１１５は、音楽データの収録時間の最後まで音楽データが再生された場合は、当初予定した広告が有効に機能したとして所定のポイントを追加することで付与ポイントを算出する。
【０２７０】
図３６は、付与ポイント算出処理部１１５が付与するポイントの算出方法の一例を示している。音楽データの再生が開始された場合に１ポイント、ユーザからの音楽データ再生停止操作が入力されることなく音楽データの再生が３０秒以上継続された場合に２ポイント、更に１分以上再生が継続された場合に１ポイント、更に２分以上再生が継続された場合に１ポイント、ユーザからの音楽データ再生停止操作が入力されることなく音楽データの最後まで再生が完了した場合に５ポイント、を付与するように計算式が設定されている。
【０２７１】
ポイント更新処理部１１６は、記憶媒体に記憶しているユーザのポイントに、付与ポイント算出処理部１１５が算出した付与ポイントを加算することで当該ユーザのポイントを更新する処理を行う。ここで、ポイントはコイン、クレジット、石、などと呼ばれることもある数値データである。
【０２７２】
当該ポイントは、アーティストに譲渡したり、音楽データをアラーム音データとして追加することに使用できるようにすると更に良好である。図３７に示す音楽再生装置は、ポイント譲渡処理部１１７とアラーム音データ更新処理部１１８とを更に具備する。
【０２７３】
ポイント譲渡処理部１１７は、ユーザが所有するポイントをユーザが指定したアーティストに譲渡する処理を行う。具体的には、音楽配信サーバ２００に、譲渡するポイントの数と譲渡対象となるアーティストを識別するアーティストIDを含むポイント譲渡要求を送信する処理を行う。音楽配信サーバ２００においてポイント受領処理部２０２は、ポイント譲渡要求を受信して了承通知を行い、ポイント更新処理部２０３はポイント受領処理部２０２が受信したポイント譲渡要求に含まれるアーティストIDのアーティストのポイントに、当該ポイント譲渡要求に含まれるポイントの数を加算することで当該アーティストのポイントを更新する処理を行う。また、ポイント更新処理部１１６は、ユーザからのポイント譲渡操作に基づいて指定されるポイント数に基づいてポイント譲渡処理部１１７が当該ポイント譲渡操作に基づいて指定されるアーティストへ譲渡したポイントを既に保有しているポイント数から引くことで当該ユーザのポイントを更新する処理を行う。
【０２７４】
アラーム音データ更新処理部１１８は、ユーザからのアラーム音追加操作に基づいて、記憶媒体に記憶されている音楽データをアラーム音データとして追加する処理を行うことで、アラーム音データを更新する処理を行う。この場合、ポイント更新処理部１１６は、当該音楽データに設定されている使用ポイントを当該ユーザが既に保有しているポイント数から差し引くことで、ポイントを更新する処理を行う。
【０２７５】
音楽データ再生開始処理部１０３で再生される音楽データは、広告としてのデータであると同時に、最終製品としてのデータでもありうる。広告と製品の違いは当該再生がユーザの指示に基づいて行われるかどうかによる。同じ音楽であっても、ユーザの再生指示に基づくことなく自動的に再生される音楽は、自身リソースを他者の意図に基づいて消費される再生であるため広告である。一方、ユーザの再生指示に基づいて再生される音楽は、ユーザが自身の効用を高めるために行われる再生であるため財である。音楽データ再生開始処理部１０３は、同じ音楽データを再生する場合であっても、ユーザの再生操作に基づいて財としての音楽データを再生する場合と、広告としての音楽データを再生する場合の２パターンが考えられる。ポイント付与処理部１１４は、記憶媒体に記憶されている音楽データのうち、ユーザからの再生操作に基づかずに音楽データの再生を音楽データ再生開始処理部１０３が行う場合に、所定のポイントをユーザに付与する処理を行う。このように構成すると更に良好である。
【０２７６】
すなわち、ポイント付与処理部１１４は、指定されるアラーム時刻に指定されるアラーム音データの再生開始を指示するユーザからのアラーム設定操作に基づいて、音楽配信サーバから受信されて記憶媒体に記憶されている音楽データを前記アラーム時刻より所定の時間前のタイミングに読み出してユーザから当該音楽データの再生開始を指示する音楽再生開始操作を受けることなく当該音楽データの再生が開始される場合に、所定の条件に従って当該ユーザにポイントを付与する処理を行う。ここで、所定の条件としては、例えば当該音楽データの再生が開始されてからユーザより音楽再生の停止を指示する再生停止操作が入力されることなく収録時間の最後まで音楽データの再生が完了することを条件とすると良い。同じ音楽データの再生であってもユーザからの音楽再生開始操作に基づいて行われる再生はユーザが自らの効用を高めるための再生であるため、当該再生は広告に該当しないためポイントは付与されない。
【０２７７】
なお、ポイント付与処理部１１４が広告対象データの処理を実行することで付与するポイントをディスプレイに表示する付与ポイント表示処理部を備える構成とすると更に良好である。また、当該ポイントの使用方法としては、アーティストに無償譲渡する、コンサートチケットの割引の適用を受ける、当該アーティストにメッセージを送信する、音楽データをアラーム音データとして追加する、などのサービスと交換に使用できる構成とすると良い。
【０２７８】
また、ポイントを使用することでユーザからの音楽再生操作に基づいて音楽データの再生を行えるようにすると更に良好である。音楽データ再生開始処理部１０３は、ユーザからの音楽再生開始操作に基づいて、当該操作で指定されている音楽の音楽データの再生を開始する処理を行う。この場合、ポイント更新処理部１１６は、当該音楽データの再生に対応付けられたポイント数をユーザが既に所有しているポイントから差し引くことでポイントを更新する。一方、音楽データ再生開始処理部１０３は、ユーザからのアラーム設定操作に基づいて、当該操作で指定されているアラーム時刻から広告対象に係る音楽データの収録時間より前のタイミングより自動的に当該音楽データの再生を開始する処理を行う。この場合は、ポイント更新処理部１１６は、当該広告対象となる音楽データの再生に対応付けられたポイント数をユーザが既に所有しているポイントに加算することでポイントの更新を行う。
【０２７９】
なお、上述した音楽データ再生開始処理部１０３を、ユーザからの音楽データ再生開始操作に基づくことなく自動的に音楽データの再生を開始する処理を行う音楽データ再生自動開始処理部と、ユーザからの音楽データ再生開始操作に基づいて手動で音楽データの再生を開始する処理を行う音楽データ再生手動開始処理部に分けて実装すると更に良好である。
【０２８０】
図３８は、音楽再生装置１００の別構成を示すブロック図である。音楽再生装置１００は、操作入力処理部１２０と、ポイント消費処理部１２１を具備する。音楽データ再生開始処理部１０３は、音楽データ再生自動開始処理部１０３aと音楽データ再生手動開始処理部１０３bを備え、ポイント消費処理部１２１は、消費ポイント取得処理部１２２と、ポイント更新処理部１２３を備える。
【０２８１】
操作入力処理部１２０は、ユーザからの各種指示操作を入力する処理を行う。操作入力処理部１２０が受け付けるユーザからの操作としては、アラームを設定するアラーム設定操作、音楽配信サーバより配信された音楽データをアラーム音データとして追加するアラーム音データ追加操作、音楽データの再生の開始を指示する音楽データ再生開始操作（音楽再生開始操作）、再生中の音楽データの再生停止を指示する音楽データ再生停止操作（音楽停止操作）、ユーザ自身が有するポイントをアーティストに譲渡するポイント譲渡操作、などがある。
【０２８２】
音楽データ再生自動開始処理部１０３aは、ユーザからのアラーム設定操作に基づいて指定されたアラーム時刻と前記音楽データの収録時間とに基づいて求められるタイミングより、ユーザからの音楽データ再生開始操作を受けることなく前記音楽データの再生を自動的に開始する。一方、音楽データ再生手動開始処理部１０３bは、ユーザからの音楽データ再生開始操作に基づいて前記音楽データの再生に開始する。
【０２８３】
ポイント消費処理部１２１は、操作入力処理部１２０が受け付ける音楽データ再生開始操作に基づいて、音楽データ再生手動開始処理部１０３bが、当該音楽データ再生開始操作に係る音楽データの再生を開始する場合に、所定のポイントを消費する処理を行う。
【０２８４】
消費ポイント取得処理部１２１は、操作入力処理部１２０が受け付ける音楽データ再生開始操作に基づいて、再生が指示されている音楽に関連付けられている消費ポイントを取得する処理を行う。ポイント更新処理部１２２は、当該ユーザが既に保有しているポイントから消費ポイント取得処理部１２１で取得される消費ポイントを差し引くことでポイントを更新する処理を行う。
【０２８５】
このように、音楽再生装置は、ユーザからのアラーム設定操作に基づいて指定されるアラーム時刻にアラーム音データの再生を開始させる設定を行うアラーム設定手段と、外部サーバに接続して音楽データを受信する音楽データ受信手段と、前記音楽データを記憶する音楽データ記憶手段と、前記ユーザからのアラーム設定操作に基づいて指定されたアラーム時刻と前記音楽データの収録時間とに基づいて求められるタイミングより、ユーザからの音楽データ再生開始操作を受けることなく前記音楽データの再生を自動的に開始する音楽データ再生自動開始手段と、前記音楽データの再生を停止する音楽データ再生停止手段と、前記自動的に開始される音楽データの再生に基づいて所定のポイントをユーザに付与するポイント付与手段と、を具備する。
【０２８６】
また、ポイント付与手段は、前記ユーザからの音楽再生停止操作を受けることなく前記音楽データの再生が完了した場合に、所定のポイントをユーザに付与する構成とするとアーティストが当初予定した目的である自身の音楽の広告が完了したことを示しているため更に良好である。また、広告が完了しなくても一定程度音楽が再生されれば広告は達成したと見ることができるため、ポイント付与手段は、前記音楽データの再生が開始されてから前記音楽データの再生が停止されるまでの時間に基づいて、所定のポイントをユーザに付与する構成とすると更に良好である。ポイント付与手段は、前記音楽データの再生が開始されてから前記音楽データの再生が停止されるまでの時間の長さに応じたポイントをユーザに付与する。
【０２８７】
また、ユーザからの音楽データ再生開始操作に基づいて前記音楽データの再生を開始する音楽データ再生手動開始手段を更に具備する構成とすると、ポイント自体に価値がでてくるため更に良好である。当初は自身の意思に基づかず広告として自動的に音楽が再生されていたものの、当該音楽に価値を見出したユーザが当該ポイントを消費し、広告としてではなく財として音楽を手動で再生することになる。ポイント消費手段は、前記ユーザからの音楽データ再生開始操作に基づいて前記音楽データの再生を開始する場合に、前記ポイントを消費する。また、ポイント消費手段は、前記ユーザからのアラーム音データ追加操作に基づいて前記音楽データをアラーム音データとして追加する場合に、前記ポイントを消費する構成とするとユーザの紅葉がさらに高まるため良好である。
【０２８８】
また、本発明では、音楽を再生することで聴覚を通じて音楽をユーザにしているため、上記説明した音楽再生方法、音楽再生プログラム、音楽広告装置は、それぞれ音楽広告方法、音楽広告プログラム、音楽広告装置と呼ばれることがある。
【０２８９】
また、本発明では、ユーザが目を覚ますためのアラームとして広告対象となる音楽を再生することを可能としているため、上記説明した音楽再生方法、音楽再生プログラム、音楽再生装置は、それぞれアラーム方法、アラームプログラム、アラーム装置と呼ばれることがある。
【０２９０】
また、上記説明した各機能はソフトウェアとハードウェアの協働によって実現される構成とすることができる。
【０２９１】
また、本発明は上記説明した実施形態に限定されるものではない。例えば、上述した各実施形態を組み合わせることが可能である。
【産業上の利用可能性】
【０２９２】
本発明は、サーバからユーザが持つ端末装置へ音楽を配信し、所定のタイミングで音楽を再生することにより当該音楽の興味を惹起させる音楽広告システムで利用することが可能である。
【符号の説明】
【０２９３】
１００  音楽再生装置           １０１  アラーム時刻設定処理部
１０２  音楽データ受信処理部   １０３  音楽データ再生開始処理部
１０４  音楽データ再生停止処理部       １０５  ユーザ情報登録処理部
１０６  サーバ接続時刻設定処理部       １０７  音楽データ再生時刻設定処理部
１０８  アラーム音データ再生開始処理部
１０９  アラーム音データ再生停止処理部
１１０  音楽データ記憶処理部   １１１  音楽データ関連アラーム時刻取得処理部
１１２  フィードバック情報生成処理部   １１３  フィードバック情報送信処理部
１１４  ポイント付与処理部             １１５  付与ポイント算出処理部
１１６  ポイント更新処理部             １１７  ポイント譲渡処理部
１１８  アラーム音データ更新処理部
２００  音楽配信サーバ                 ２０１  音楽データ配信処理部
２０２  ポイント受領処理部             ２０３  ポイント更新処理部
１１００  音楽再生装置         １１０１  ディスプレイ
１１０２  ホームボタン         １１０３  スピーカー
１１０４  イメージビュー               １１０５  テキストビュー
１１１０  操作入力処理部
１１２０  アラーム設定処理部   １１３０  サーバ通信処理部
１１３１  配信対象データ送信要求送信処理部
１１３２  配信対象データ受信処理部
１１３３  ユーザ登録情報送信処理部     
１１３４  フィードバックデータ送信処理部
１１３５  アラーム音データ受信処理部
１１４０  配信データ処理部
１１４１  音楽データ再生開始処理部     １１４２  音楽データ再生停止処理部
１１４３  アーティスト関連データ表示処理部
１２００  音楽配信サーバ               １２１０  配信候補データ受信処理部
１２２０  配信候補データ記憶処理部     １２３０  配信要求受信処理部
１２４０  配信登録処理部               １２５０  配信処理部
１２５１  配信対象データ送信要求受信処理部
１２５２  配信対象データ送信処理部
１２５３  ユーザ登録情報受信処理部
１２５４  フィードバックデータ受信処理部
１２６０  配信対象データ選択処理部
２１００  音楽再生装置         ２１１０  装置側ユーザ情報登録処理部
２２００  音楽配信サーバ               ２２１０  アーティスト情報受信処理部
２２１０  アーティスト情報登録処理部
３１００  音楽再生装置         
３１１０  配信対象データ送信要求時刻設定処理部
３１２０  配信対象データ記憶処理部
４１００  音楽再生装置         ４１１０  配信対象データ記憶管理処理部
４１２０  お気に入りアーティスト関連データ表示処理部
４１３０  フィードバックデータ生成処理部
４２００  音楽配信サーバ               ４２１０  サーバ側ユーザ情報登録処理部
４２２０  フィードバックデータ記憶処理部
４２３０  データ解析処理部             ４２４０  解析結果表示処理部
４２５０  ユーザ登録情報更新処理部
５１００  音楽再生装置         ５１１０  アラーム音データ記憶処理部
５１２０  アラーム処理部               ５１２１  アラーム音データ再生開始処理部
５１２２  アラーム画面表示処理部       ５１２３  アラーム音データ再生停止処理部
５１３０  配信対象データ処理時刻設定処理部
６１００  音楽広告処理装置             
６１１０  操作入力処理部                           ６１２０  アラーム設定処理部
６１２１  アラーム設定画面表示処理部
６１２２  アラーム時刻設定処理部            ６１２３  アラーム音データ設定処理部
６１３０  アラーム管理処理部      ６１４０  サーバ通信処理部
６１４１  広告対象データ配信要求送信処理部
６１４２  広告対象データ受信処理部
６１４３  フィードバックデータ送信処理部
６１５０  広告対象データ記憶処理部         ６１６０  広告対象データ処理部
６１６１  広告対象音楽データ再生開始処理部
６１６２  広告対象音楽データ再生停止処理部
６１６３  アーティスト関連データ表示処理部
６２００  音楽広告サーバ                           ６２１０  広告候補データ受信処理部
６２２０  広告候補データ記憶処理部         ６２３０  配信要求受信処理部
６２４０  配信登録処理部                           ６２５０  広告対象データ配信処理部
６２５１  広告対象データ送信要求受信処理部
６２５２  広告対象データ送信処理部
６２５３  フィードバックデータ受信処理部
６２６０  広告対象データ選択処理部
７１００  音楽広告処理装置                       ７１１０  装置側ユーザ登録処理部
７１２０  フィードバックデータ取得処理部
７１２１  広告対象音楽データ再生開始・停止時刻取得処理部
７１２２  広告対象音楽データ再生時間取得処理部
７１２３  広告対象音楽再生停止操作入力データ取得処理部
７１２４  お気に入りアーティスト追加・削除データ取得処理部
７２００  音楽広告サーバ                           ７２１０  アーティスト情報受信処理部
７２２０  アーティスト登録処理部            ７２３０  サーバ側ユーザ登録処理部
７２４０  フィードバックデータ記憶処理部
８１００  音楽広告処理装置                       
８１０１  時刻表示ビュー                           ８１０２  アラーム停止ボタン
８１０３  アラーム時刻設定ビュー            ８１０４  アラーム音一覧ビュー
８１０５  アラームセットボタン
８１１０  広告対象データ送信要求時刻設定処理部
８１２０  広告対象データ処理時刻設定処理部
８１３０  アラーム音データ記憶処理部
８１４０  アラーム処理部                           ８１４１  アラーム音データ再生開始処理部
８１４２  アラーム画面表示処理部            ８１４３  アラーム音データ再生停止処理部
８１５０  広告対象データ自動消去処理部
８１６０  お気に入りアーティスト管理処理部
９１００  音楽広告処理装置                       
９１１０  広告対象音楽データ収録時間取得処理部
９１２０  広告対象データ処理時刻算出処理部
９１３０  広告対象データ処理アラーム選択処理部
【図１】
2017032895.tif 000003
【図２】
2017032895.tif 000004
【図３】
2017032895.tif 000005
【図４】
2017032895.tif 000006
【図５】
2017032895.tif 000007
【図６】
2017032895.tif 000008
【図７】
2017032895.tif 000009
【図８】
2017032895.tif 000010
【図９】
2017032895.tif 000011
【図１０】
2017032895.tif 000012
【図１１】
2017032895.tif 000013
【図１２】
2017032895.tif 000014
【図１３】
2017032895.tif 000015
【図１４】
2017032895.tif 000016
【図１５】
2017032895.tif 000017
【図１６】
2017032895.tif 000018
【図１７】
2017032895.tif 000019
【図１８】
2017032895.tif 000020
【図１９】
2017032895.tif 000021
【図２０】
2017032895.tif 000022
【図２１】
2017032895.tif 000023
【図２２】
2017032895.tif 000024
【図２３】
2017032895.tif 000025
【図２４】
2017032895.tif 000026
【図２５】
2017032895.tif 000027
【図２６】
2017032895.tif 000028
【図２７】
2017032895.tif 000029
【図２８】
2017032895.tif 000030
【図２９】
2017032895.tif 000031
【図３０】
2017032895.tif 000032
【図３１】
2017032895.tif 000033
【図３２】
2017032895.tif 000034
【図３３】
2017032895.tif 000035
【図３４】
2017032895.tif 000036
【図３５】
2017032895.tif 000037
【図３６】
2017032895.tif 000038
【図３７】
2017032895.tif 000039
【図３８】
2017032895.tif 000040